(57)【要約】  第１の無線基地局と端末との間で無線通信が行われているときにハンドオーバにより前記第１の無線基地局に代わり第２の無線基地局と前記端末との間で無線通信が行われる無線通信システムにおいて、前記第１の無線基地局には、前記第１の無線基地局に残留したデータを前記第２の無線基地局に転送する場合に、前記端末から前記第１の無線基地局に送信された送信パケットのうち、送達確認のとれていない未送達のパケットに対してダミーパケットを作成し、前記ダミーパケットを含むデータパケットを作成するデータパケット作成部と、作成された前記データパケットをハンドオーバ先の前記無線基地局に転送する転送部とを備え、前記第２の無線基地局には、前記データパケットを受信するデータパケット受信部と、受信した前記データパケットから前記未送達のパケットの伝送要求を前記端末に要求し、前記未送達のパケットを前記端末から受信する未送達パケット受信部とを備えることを特徴とする。
2008078381.tif 000002
【特許請求の範囲】
【請求項１】
第１の無線基地局と端末との間で無線通信が行われている状態からハンドオーバにより前記第１の無線基地局に代わり第２の無線基地局と前記端末との間で無線通信が行われる無線通信システムにおいて、
前記第１の無線基地局には、
前記第１の無線基地局に残留したデータを前記第２の無線基地局に転送する場合に、前記端末から前記第１の無線基地局に送信された送信パケットのうち、送達確認のとれていない未送達のパケットに対してダミーパケットを作成し、前記ダミーパケットを含むデータパケットを作成するデータパケット作成部と、
作成された前記データパケットをハンドオーバ先の前記無線基地局に転送する転送部とを備えることを特徴とする無線通信システム。
【請求項２】
前記データパケット作成部は、前記データパケットには前記ダミーパケットと前記送達確認済みパケットとを識別する識別情報を前記データパケットに付加することを特徴とする請求項１記載の無線通信システム。
【請求項３】
前記データパケット作成部は、前記ダミーパケットのシーケンス番号、前記ダミーパケットに含まれるダミービットのパターン、前記ダミービット長を示すデータパケット情報を、前記データパケットに付加することを特徴とする請求項１記載の無線通信システム。
【請求項４】
前記データパケット作成部は、前記ダミーパケットの先頭又は末尾に、ダミーパケットであることを示す識別子を付加して前記ダミーパケットを作成することを特徴とする請求項１記載の無線通信システム。
【請求項５】
前記未送達のパケットには、前記端末から前記第１の無線基地局に前記パケットが送信されていない未受信パケットと、前記端末から送達確認がとれずに前記端末から前記第１の無線基地局に再び送信する再送パケットとを含み、
前記データパケット作成部は、前記未受信のパケットに対しては、特定パターンのデータから構成される前記ダミーパケットを作成し、前記再送パケットに対しては、誤りを含む再送中のデータから構成される前記ダミーパケットを作成することを特徴とする請求項１記載の無線通信システム。
【請求項６】
前記データパケット作成部は、前記特定パターンから構成される前記ダミーパケットと、前記再送中のデータから構成される前記ダミーパケットとを識別する識別情報を前記各ダミーパケットに付加することを特徴する請求項５記載の無線通信システム。
【請求項７】
前記データパケット作成部は、前記再送中のデータから前記ダミーパケットを作成するとき、前記端末から前記第１の無線基地局への前記パケットの送信回数、前記パケットのデータ長、前記端末から前記第１の無線基地局に前記パケットを前回送信したときの送信方法の少なくとも一つを含む再送情報を、前記ダミーパケットに付加することを特徴とする請求項５記載の無線通信システム。
【請求項８】
前記データパケット作成部は、前記端末から前記第１の無線基地局に送達確認のとれたパケットから送達確認済みパケットを作成し、前記ダミーパケットと前記送達確認済みパケットとから前記データパケットを作成することを特徴とする請求項１記載の無線通信システム。
【請求項９】
端末と無線通信を行う無線基地局において、
ハンドオーバが実行されたとき、残留したデータをハンドオーバ先の無線基地局に転送する場合に、前記端末からの伝送されたパケットが、前記端末から送達確認のとれていない再送中又は未送信である未送達のパケットか、送達確認のとれた送達済みのパケットかを識別するパケット識別部と、
前記パケット識別部により前記未送達のパケットと識別された前記パケットに対し、ダミーパケットを作成し、前記ダミーパケットを含むデータパケットを作成するデータパケット作成部と、
作成された前記データパケットをハンドオーバ先の無線基地局に転送する転送部とを備えることを特徴とする無線基地局。
【請求項１０】
前記未送達のパケットには、前記端末から前記第１の無線基地局に前記パケットが送信されていない未受信パケットと、前記端末から送達確認がとれずに前記端末から前記第１の無線基地局に再び送信する再送パケットとを含み、
前記パケット識別部は、前記端末から伝送されたパケットが、前記未受信のパケットか前記再送パケットかを識別し、
前記データパケット作成部は、前記未受信のパケットに対しては、特定パターンのデータから構成される前記ダミーパケットを作成し、前記再送パケットに対しては、誤りを含む再送中のデータから構成される前記ダミーパケットを作成することを特徴とする請求項９記載の無線通信システム。
【請求項１１】
前記データパケット作成部は、前記端末から前記第１の無線基地局に送達確認のとれたパケットから送達確認済みパケットを作成し、前記ダミーパケットと前記送達確認済みパケットとから前記データパケットを作成することを特徴とする請求項９記載の無線通信システム。
【請求項１２】
端末と無線通信を行う無線基地局において、
ハンドオーバが実行されたとき、ハンドオーバ元の無線基地局から残留した残留データが転送される場合に、ハンドオーバ元の無線基地局から転送されたデータパケットを受信するデータパケット受信部と、
前記データパケットに付加されたデータパケット識別情報から、前記データパケットにダミーパケットが含まれるか否かを識別するダミーパケット識別部と、
前記ダミーパケットが含まれるとき、前記ダミーパケットに対応するパケットの送信を前記端末に要求する送信要求部と、
前記要求した前記パケットを前記端末から受信する要求パケット受信部と、
前記端末から受信した前記要求パケットの誤りの有無を確認する誤り確認部と、
誤りがないとき、前記要求パケット受信部で受信したパケットを含むパケットを上位装置に伝送する伝送部とを備えることを特徴とする無線基地局。
【請求項１３】
更に、前記ダミーパケットが含まれているとき、前記端末から前記ハンドオーバ元の無線基地局への前記パケットの送信回数、前記パケットのデータ長、前記端末から前記ハンドオーバ元の無線基地局に前記パケットを前回送信したときの送信方法、を示す再送情報を、前記データパケットから抽出して、前記再送情報に基づいて前記端末からの前記パケットの再送を継続する再送継続部を備えることを特徴とする請求項１２記載の無線基地局。
【請求項１４】
第１の無線基地局と端末との間で無線通信が行われているときにハンドオーバにより前記第１の無線基地局に代わり第２の無線基地局と前記端末との間で無線通信が行われる無線通信システムにおいて、
前記第１の無線基地局には、
前記第１の無線基地局に残留した残留データを前記第２の無線基地局に転送する場合に、前記端末から前記第１の無線基地局に送達確認のとれていない未送達のＭＡＣ  ＰＤＵに対してダミーＭＡＣ  ＰＤＵを作成し、前記ＭＡＣ  ＰＤＵを含むＲＬＣ  ＳＤＵを作成するＲＬＣ  ＳＤＵ作成部と、
作成された前記ＲＬＣ  ＳＤＵをハンドオーバ先の前記無線基地局に転送する転送部とを備え、
前記ハンドオーバ先の無線基地局には、
前記ＲＬＣ  ＳＤＵを受信するＲＬＣ  ＳＤＵ受信部と、
受信した前記ＲＬＣ  ＳＤＵから前記未送達のＭＡＣ  ＰＤＵの伝送要求を前記端末に要求し、前記未送達のＭＡＣ  ＰＤＵを前記端末から受信する未送達ＭＡＣ  ＰＤＵ受信部とを備えることを特徴とする無線通信システム。
【請求項１５】
端末と無線通信を行う無線基地局において、
ハンドオーバが実行されたとき、残留したデータをハンドオーバ先の無線基地局に転送する場合に、前記端末からの伝送されたＭＡＣ  ＰＤＵが、前記端末から送達確認のとれていない再送中又は未送信である未送達のＭＡＣ  ＰＤＵか、送達確認のとれた送達済みのＭＡＣ  ＰＤＵかを識別するパケット識別部と、
前記パケット識別部により前記未送達のＭＡＣ  ＰＤＵと識別された前記ＭＡＣ  ＰＤＵに対し、ダミーＭＡＣ  ＰＤＵを作成し、前記ダミーＭＡＣ  ＰＤＵを含むＲＬＣ  ＳＤＵを作成するデータパケット作成部と、
作成された前記ＲＬＣ  ＳＤＵをハンドオーバ先の無線基地局に転送する転送部とを備えることを特徴とする無線基地局。
【請求項１６】
端末と無線通信を行う無線基地局において、
ハンドオーバが実行されたとき、ハンドオーバ元の無線基地局に残留した残留データが転送される場合に、ハンドオーバ元の無線基地局から転送されたＭＡＣ  ＳＤＵを受信するデータパケット受信部と、
前記ＭＡＣ  ＳＤＵに付加されたデータパケット識別情報から、前記ＭＡＣ  ＳＤＵにダミーＭＡＣ  ＰＤＵが含まれるか否かを識別するダミーパケット識別部と、
前記ダミーＭＡＣ  ＰＤＵが含まれるとき、前記ダミーＭＡＣ  ＰＤＵに対応するＭＡＣ  ＰＤＵの送信を前記端末に要求する送信要求部と、
前記要求した前記ＭＡＣ  ＰＤＵを前記端末から受信する要求パケット受信部と、
前記端末から受信した前記ＭＡＣ  ＰＤＵの誤りの有無を確認する誤り確認部と、
誤りがないとき、前記要求パケット受信部で受信した前記ＭＡＣ  ＰＤＵを含むＲＬＣ  ＳＤＵを上位装置に伝送する伝送部とを備えることを特徴とする無線基地局。
【請求項１７】
第１の無線基地局と端末との間で無線通信が行われているときにハンドオーバにより前記第１の無線基地局に代わり第２の無線基地局と前記端末との間で無線通信が行われる無線通信システムにおいて、
前記第１の無線基地局には、
前記第１の無線基地局に残留したデータを前記第２の無線基地局に転送する場合に、前記第１の無線基地局から前記端末に送信された送信パケットのうち、前記端末から送達確認のとれた送達済みパケットに対して送達済みのダミーパケット、又は、前記端末に未送達の送信パケットに対して未送達のダミーパケットを作成し、いずれかのダミーパケットを含むデータパケットを作成するデータパケット作成部と、
作成した前記データパケットを前記第２の無線基地局に転送する転送部とを備えることを特徴とする無線通信システム。
【請求項１８】
前記未送達のパケットには、前記第１の無線基地局から前記端末に前記パケットが送信されていない未送信パケットと、前記端末から送達確認がとれずに前記第１の無線基地局から前記端末に再び送信する再送パケットとを含み。
前記データパケット作成部は、前記未受信パケット及び前記再送パケットに対しては、それぞれ前記端末に送信されていない実データ又は前記端末に再送中の実データから、前記ダミーパケットを作成することを特徴とする請求項１７記載の無線通信システム。
【請求項１９】
前記データパケット作成部は、特定パターンのダミーデータにより前記送達済みのダミーパケットを作成することを特徴とする請求項１７記載の無線通信システム。
【請求項２０】
端末と無線通信を行う無線基地局において、
前記端末によりハンドオーバが実行されたとき、残留した残留データをハンドオーバ先の無線基地局に転送する場合に、前記端末へ送信するパケットが、前記端末から送達確認のとれた送達済みのパケットか、再送中又は未送信である未送達のパケットかを識別するパケット識別部と、
前記パケット識別部により送達済みのパケットと識別された前記パケットに対して送達済みダミーパケットを作成し、前記未送達のパケットと識別された前記パケットに対して未送達のダミーパケットを作成し、いずれかのダミーパケットを含むデータパケットを作成するデータパケット作成部と、
作成された前記データパケットをハンドオーバ先の無線基地局に転送する転送部とを備えることを特徴とする無線基地局。
【請求項２１】
端末と無線通信を行う無線基地局において、
ハンドオーバが実行されたとき、ハンドオーバ元の無線基地局に残留した残留データが転送される場合に、ハンドオーバ元の無線基地局から転送されたデータパケットを受信するデータパケット受信部と、
前記データパケットに付加されたデータパケット識別情報から、前記データパケットに送達済みのダミーパケットが含まれるか、未送達のダミーパケットが含まれるかを識別するダミーパケット識別部と、
前記未送達のダミーパケットが含まれるとき、前記未送達のダミーパケットに含まれる実データを前記端末に送信する送信部を備えることを特徴とする無線基地局。
【請求項２２】
第１の無線基地局と端末との間で無線通信が行われているときにハンドオーバにより前記第１の無線基地局に代わり第２の無線基地局と前記端末との間で無線通信が行われる無線通信システムにおいて、
前記第１の無線基地局には、
前記第１の無線基地局に残留したデータを前記第２の無線基地局に転送する場合に、前記第１の無線基地局から前記端末に送信されたＭＡＣ  ＰＤＵのうち、前記端末から送達確認のとれた送達済みＭＡＣ  ＰＤＵに対して送達済みのダミーＭＡＣ  ＰＤＵ、又は、前記端末に未送達の送信ＭＡＣ  ＰＤＵに対して未送達のダミーＭＡＣ  ＰＤＵを作成し、いずれかのダミーＭＡＣ  ＰＤＵを含むＲＬＣ  ＳＤＵを作成するデータパケット作成部と、
作成した前記ＲＬＣ  ＳＤＵを前記第２の無線基地局に転送する転送部とを備え、
前記第２の無線基地局には、
前記ＲＬＣ  ＳＤＵを受信するデータパケット受信部と、
受信した前記ＲＬＣ  ＳＤＵに前記未送達のダミーＭＡＣ  ＰＤＵが含まれているとき、前記未送達のダミーＭＡＣ  ＰＤＵに対応するＭＡＣ  ＰＤＵを前記端末に送信するパケット送信部とを備えることを特徴とする無線通信システム。
【請求項２３】
端末と無線通信を行う無線基地局において、
ハンドオーバが実行されたとき、残留した残留データをハンドオーバ先の無線基地局に転送する場合に、前記端末へ送信するＭＡＣ  ＰＤＵが、前記端末から送達確認のとれた送達済みのＭＡＣ  ＰＤＵか、再送中又は未送信である未送達のＭＡＣ  ＰＤＵかを識別するパケット識別部と、
前記パケット識別部により送達済みのＭＡＣ  ＰＤＵと識別された前記ＭＡＣ  ＰＤＵに対して送達済みダミーＭＡＣ  ＰＤＵを作成し、前記未送達のＭＡＣ  ＰＤＵと識別された前記ＭＡＣ  ＰＤＵに対して未送達のダミーＭＡＣ  ＰＤＵを作成し、いずれかのダミーＭＡＣ  ＰＤＵを含むＲＬＣ  ＳＤＵを作成するデータパケット作成部と、
作成された前記ＲＬＣ  ＳＤＵをハンドオーバ先の無線基地局に転送する転送部とを備えることを特徴とする無線基地局。
【請求項２４】
端末と無線通信を行う無線基地局において、
ハンドオーバが実行されたとき、ハンドオーバ元の無線基地局に残留した残留データが転送される場合に、ハンドオーバ元の無線基地局から転送されたＲＬＣ  ＳＤＵを受信するデータパケット受信部と、
前記ＲＬＣ  ＳＤＵに付加されたデータパケット識別情報から、前記ＲＬＣ  ＳＤＵに送達済みのダミーＭＡＣ  ＰＤＵが含まれるか、未送達のダミーＭＡＣ  ＰＤＵが含まれるかを識別するダミーＭＡＣ  ＰＤＵ識別部と、
前記未送達のダミーＭＡＣ  ＰＤＵが含まれるとき、前記未送達のダミーＭＡＣ  ＰＤＵに含まれる実データを前記端末に送信する送信部を備えることを特徴とする無線基地局。
【請求項２５】
第１の無線基地局と端末との間で無線通信が行われているときにハンドオーバにより前記第１の無線基地局に代わり第２の無線基地局と前記端末との間で無線通信が行われる無線通信システムにおける無線通信方法において、
前記第１の無線基地局において、
前記第１の無線基地局に残留したデータを前記第２の無線基地局に転送する場合に、前記端末から前記第１の無線基地局に送信された送信パケットのうち、送達確認のとれていない未送達のパケットに対してダミーパケットを作成し、前記ダミーパケットを含むデータパケットを作成し、
作成された前記データパケットをハンドオーバ先の前記無線基地局に転送し、
前記第２の無線基地局において、
前記データパケットを受信し、
受信した前記データパケットから前記未送達のパケットの伝送要求を前記端末に要求し、前記未送達のパケットを前記端末から受信することを特徴とする無線通信方法。
【請求項２６】
第１の無線基地局と端末との間で無線通信が行われているときにハンドオーバにより前記第１の無線基地局に代わり第２の無線基地局と前記端末との間で無線通信が行われる無線通信システムにおける無線通信方法において、
前記第１の無線基地局において、
前記第１の無線基地局に残留したデータを前記第２の無線基地局に転送する場合に、前記第１の無線基地局から前記端末に送信された送信パケットのうち、前記端末から送達確認のとれた送達済みパケットに対して送達済みのダミーパケット、又は、前記端末に未送達の送信パケットに対して未送達のダミーパケットを作成し、いずれかのダミーパケットを含むデータパケットを作成し、
作成した前記データパケットを前記第２の無線基地局に転送し、
前記第２の無線基地局において、
前記データパケットを受信し、
受信した前記データパケットに前記未送達のダミーパケットが含まれているとき、前記未送達のダミーパケットに対応するパケットを前記端末に送信することを特徴とする無線通信システム。
【請求項２７】
所定数のデータブロックを含むデータユニットを形成してからルーティングを行う装置にデータ転送を行う第１の無線基地局から、第２の無線基地局に端末との無線接続を切り替えるハンドオーバ方法において、
前記第１の無線基地局が保有する該端末から受信済みのデータブロック又は該端末への未送信のデータブロックが前記データユニットの形成に満たない量のデータブロックである場合に、他のデータを用いて前記データユニットの形成が可能なデータ量を得て、
形成した該データユニットを前記第１の無線基地局から前記第２の無線基地局に送信する、
ことを特徴とするハンドオーバ方法。
【請求項２８】
前記他のデータは、前記端末から未受信であるデータブロックの存在を通知する情報又は前記端末へ送信済みのデータブロックの存在を通知する情報であることを特徴とする請求項２７記載のハンドオーバ方法。
【請求項２９】
前記第２の無線基地局には、
前記データパケットを受信するデータパケット受信部と、
受信した前記データパケットから前記未送達のパケットの伝送要求を前記端末に要求し、前記未送達のパケットを前記端末から受信する未送達パケット受信部とを備えることを特徴とする請求項１記載の無線通信システム。
【請求項３０】
前記第２の無線基地局には、
前記データパケットを受信するデータパケット受信部と、
受信した前記データパケットに前記未送達のダミーパケットが含まれているとき、前記未送達のダミーパケットに対応するパケットを前記端末に送信するパケット送信部とを備えることを特徴とする請求項１７記載の無線通信システム。
【発明の詳細な説明】
【技術分野】
【０００１】
本発明は、無線通信を利用した無線通信システム、無線基地局、及び無線通信方法に関する。
【背景技術】
【０００２】
３ＧＰＰ（3rd
Generation Partnership Project）システムにおいては、Ｗ−ＣＤＭＡ（Wideband Code Division Multiple
Access）システムや、ＨＳＤＰＡ（High Speed Downlink Packet Access）システム、及びＨＳＵＰＡ（High Speed
Uplink Packet Access）システムが検討され仕様化された（例えば、以下の非特許文献１、２、３、４）。また、現在、２００７年までに仕様を決定すべく、Ｅ３Ｇ（Evolved
3G）システムの検討も行われている。図１乃至図３は、夫々、Ｗ−ＣＤＭＡシステム、ＨＳＤＰＡシステムとＨＳＵＰＡシステム（以下、両システムをまとめて「ＨＳＰＡシステム」と称す）、Ｅ３Ｇシステムの構成例を示す。【０００３】
ＨＳＰＡシステムの特徴の一つは、電波状態に応じて変調方式と符号化方式を可変にすることである。これによりデータ通信の高速化を図ることができる。【０００４】
また、ＨＳＰＡシステムは、ハンドオーバの際に、Ｗ−ＣＤＭＡシステムと異なり、基地局と端末間の接続を切らずにハンドオーバを行うダイバーシチハンドオーバは行われず、ハンドオーバ元の基地局との接続を一旦解除し、改めてハンドオーバ先基地局に接続し直すハードハンドオーバ（Hard Hand Over）が実施される。【０００５】
次に、従来におけるＷ−ＣＤＭＡシステム、ＨＳＰＡシステムのネットワークサイド（インフラサイド）の構成例を図４及び図５に示し（例えば、以下の非特許文献１〜４に記載されている）、Ｅ３Ｇシステムの構成例を図６に、更に、各システムにおける端末の構成例を図７に示す。【０００６】
図４に示すように、Ｗ−ＣＤＭＡシステムにおいて、無線制御局（ＲＮＣ）１０には、ＰＤＣＰ（Packet Data Convergence Protocol）部１２と、ＲＬＣ（Radio Link Control）部１３と、ＭＡＣ（Media
Access Control）部１４と、無線回線制御部（ＲＲＣ）１５とを備える。一方、無線基地局（ＮｏｄｅＢ）２０，３０には、信号処理（ＢＢ）部２２を備える。ＰＤＣＰ部１２、ＲＬＣ部１３、及びＭＡＣ部１４では、夫々個別のパケットを生成し、各部１２等に転送する。これらのパケットの生成等は無線回線制御部１５で制御される。【０００７】
図５は、ＨＳＰＡシステムおけるインフラサイドの構成である。図４と比較し、無線基地局（ＮｏｄｅＢ）２０，３０にＭＡＣ−ｈｓ／ＭＡＣ−ｅｓ部１７を備え、無線制御局１０の機能の一部が無線基地局２０，３０に存在する構成となっている。【０００８】
更に、図６に示すように、Ｅ３Ｇシステムでは、無線基地局（ｅＮｏｄｅＢ）５１，５２側に、ＲＬＣ部１３、ＭＡＣ部１４、及び無線回線制御部ＲＲＣ部１５を有する構成となっている。【０００９】
このように、Ｗ−ＣＤＭＡシステムでは上位装置の無線制御局１０で行われていた機能が、ＨＳＰＡシステムやＥ３Ｇシステムでは除々に下位の無線基地局２０，３０，５１，５２側で行われる。これにより、パケット作成を端末６０に近い側で行わせることで、通信の高速化を図っている。【００１０】
尚、図７に示すように端末６０はＰＤＣＰ部４２からＢＢ部４８までを備える。【００１１】
図８はＨＳＵＰＡシステム、図９はＨＳＤＰＡシステム、夫々のデータに流れとパケット作成例を示す図である。図８に示すように、ＨＳＵＰＡシステムにおいて、端末６０内部のＰＤＣＰ部４２からＲＬＣ部４３に出力される際のデータ単位は、ＲＬＣ  ＳＤＵ（ＰＤＣＰ  ＰＤＵ）である。【００１２】
ＲＬＣ部４３は、ＲＬＣ  ＳＤＵを、例えば４つのＲＬＣ  ＳＤＵに分割し、分割したＲＬＣ  ＳＤＵにヘッダを付加してＲＬＣ  ＰＤＵとして端末６０内部のＭＡＣ−ｅｓ部４６に出力する。【００１３】
ＭＡＣ−ｅｓ部４６は、１つのＲＬＣ  ＰＤＵを、例えば８つに分割して、ＭＡＣ−ｅｓ  ＳＤＵとして、ＭＡＣ−ｅ部４７に出力する。【００１４】
ＭＡＣ−ｅ部４７は、ＭＡＣ−ｅｓ  ＳＤＵにヘッダを付加し、ＭＡＣ−ｅ  ＰＤＵとして信号処理部４８に出力する。信号処理部４８は、ＭＡＣ−ｅ  ＰＤＵを送信データとして、符号化及び変調を行い、基地局（ＮｏｄｅＢ）２０，３０に伝送する。この際に、ＨＡＲＱ（Hybrid Automatic Repeat Request）制御を行い、基地局２０，３０に送信するとともに送信データをバッファに保存する。このように、端末６０では、１つのＲＬＣ  ＳＤＵから４つのＲＬＣ  ＰＤＵを作成し、１つのＲＬＣ  ＰＤＵから８つのＭＡＣ  ＰＤＵを作成する（例えば、以下の非特許文献５）。【００１５】
基地局２０，３０では、受信データから、ＭＡＣ−ｅ  ＰＤＵを作成し、上位装置である無線制御局１０に送信する。無線制御局１０において、ＭＡＣ−ｅｓ部１６では、８つのＭＡＣ−ｅｓ  ＳＤＵが揃ったとき上位のＲＬＣ部１３に送信する。【００１６】
ＲＬＣ部１３は、８つのＭＡＣ−ｅｓ  ＳＤＵをまとめて１つのＲＬＣ  ＰＤＵを作成するとともに、４つのＲＬＣ  ＰＤＵが揃ったとき４つの  ＲＬＣ  ＰＤＵをまとめて１つのＲＬＣ  ＳＤＵを作成し上位のＰＤＣＰ部１２に送信する。【００１７】
無線制御局１０では、端末６０で作成したＲＬＣ  ＳＤＵを再現することができる。【００１８】
図９は、ＨＳＤＰＡシステムのデータの流れとパケット作成例である。無線制御局１０における１つのＲＬＣ  ＳＤＵは、下位に向かうに従い、４つのＲＬＣ  ＰＤＵに分割され、更に、１つのＲＬＣ  ＰＤＵが８つのＭＡＣ−ｄ  ＰＤＵに分割される。そして、無線基地局２０，３０では、送信パケットを作成して、端末６０に送信する。このとき、ＨＡＲＱ制御を行い、送信データが無線基地局２０、３０のバッファに保存される。【００１９】
端末６０では、８つのＭＡＣ−ｄ  ＰＤＵが揃うと、下位に出力し、それらをまとめることでＲＬＣ  ＰＤＵを作成する。また、４つのＲＬＣ  ＰＤＵが揃うと下位に出力し、それらをまとめることでＲＬＣ  ＳＤＵを生成する。【００２０】
図１０は、Ｅ３Ｇシステムにおける上り（アップリンク）のデータの流れとパケット作成例を示す。この場合も、図８と同様に、端末６０で生成されたＲＬＣ  ＳＤＵは、上位に向かうに従って、４つのＲＬＣ  ＰＤＵ、８つのＭＡＣ  ＰＤＵと分割され、送信パケットとして無線基地局（ｅＮｏｄｅＢ）５１，５２に送信される。【００２１】
無線基地局５１，５２では、８つのＭＡＣ  ＰＤＵが揃うと、１つのＲＬＣ  ＰＤＵを作成し、４つのＲＬＣ  ＰＤＵが揃うと上位装置（ＭＭＥ／ＵＰＥ）５０に送信し、上位装置５０では、４つのＲＬＣ  ＰＤＵから１つのＲＬＣ  ＳＤＵを作成する。図８の例と略同様にパケットの統合と分割が行われる。【００２２】
図１１は、Ｅ３Ｇシステムにおける下り（ダウンリンク）のデータの流れとパケット作成例を示す。図９と略同様に、パケットの統合と分割が行われる。
【非特許文献１】3GPPTS25.321 V5.12.0
【非特許文献２】3GPPTS25.321 V6.10.0（とくに、ＭＡＣ−ｄ，ＭＡＣ−ｈｓ，ＭＡＣ−ｅ，ＭＡＣ−ｅｓの構成は、１９ページのFig.4.2.4.1に示されている）
【非特許文献３】3GPPTS25.322 V5.13.0
【非特許文献４】3GPPTS25.322 V6.9.0
【非特許文献５】3GPPR3.018V0.6.0_6.8.4.3.2
【発明の開示】
【発明が解決しようとする課題】
【００２３】
上述したように、ＨＳＰＡシステムの場合でも、Ｅ３Ｇシステムの場合でも、８つのＭＡＣ  ＰＤＵが揃わなければＲＬＣ  ＰＤＵを作成することはできず、更に、４つのＲＬＣ  ＰＤＵが揃わなければＲＬＣ  ＳＤＵを作成することはできない。【００２４】
図１２は、Ｅ３Ｇシステムにおける端末６０のＭＡＣ部４４又は無線基地局５１，５２のＭＡＣ部１４における処理の例を示す図である。番号は、ＭＡＣ  ＰＤＵのシーケンス番号を示す。【００２５】
上り方向で考えると、シーケンス番号「１」から「８」までのＭＡＣ  ＰＤＵは、８つのＭＡＣ  ＰＤＵが揃っている状態のため上位のＲＬＣ部１３に伝送される。しかし、シーケンス番号「１２」が再送制御による再送中の状態となっている。この場合、一定時間経過しても「１２」のＭＡＣ  ＰＤＵが送達されないと、このＭＡＣ  ＰＤＵは、例えば、既に送達された「９」から「１６」までのＭＡＣ  ＰＤＵとともに破棄される。尚、図１３は端末６０のＲＬＣ部４３における処理の例を示す。ＲＬＣ  ＳＤＵが４つ揃ったときに上位装置１０に送信する。【００２６】
そして、ＭＡＣ  ＰＤＵが送達されない状態で端末６０がハンドオーバを行うと、データの欠落を防ぐため、ハンドオーバ先の無線基地局５２は、端末６０にシーケンス番号「９」から「１６」までのＭＡＣ  ＰＤＵを新規に送信してもらう。例えば、１個のＭＡＣ  ＰＤＵが送達されないとき、３１個の送信されたＭＡＣ  ＰＤＵをハンドオーバ先の無線基地局５２に再送する場合にもある（例えば、シーケンス番号「９」から「４０」まですべて再送する）。かかる場合、ハンドオーバ元の無線基地局５１は、上位装置１０やハンドオーバ先の基地局５２に、ＲＬＣ  ＳＤＵを転送することもできない（図１４参照）
しかしながら、このように既に端末６０からハンドオーバ元の無線基地局５１に送達したＭＡＣ  ＰＤＵを、端末６０からハンドオーバ先の無線基地局５２に再送するのは、非効率である。重複したＭＡＣ  ＰＤＵの伝送により、伝送時間も余計に要するため、スループットの低下が生じる。【００２７】
一方、下り方向の場合には、再送中のＭＡＣ  ＰＤＵがハンドオーバによりハンドオーバ元の無線基地局５１に残ってしまう。残ったデータ（以下、残留データ）は、ハンドオーバ先の無線基地局５２に転送する必要があるが、端末６０ではデータの欠落を防ぐためハンドオーバ先の無線基地局５２に対して再送中のＭＡＣ  ＰＤＵの送信を要求する。このときに、ハンドオーバ先の無線基地局５２は、上位装置１０に対して再送中のＭＡＣ  ＰＤＵを含むＲＬＣ  ＳＤＵ単位でデータの要求を行い、ハンドオーバ先の無線基地局５２から端末６０に対してＭＡＣ  ＰＤＵを伝送することになる。【００２８】
従って、下り方向の場合、既にハンドオーバ元の無線基地局５１から端末６０に送信したＭＡＣ  ＰＤＵが、ハンドオーバ先の無線基地局５２から端末６０に送信されることになり、上り方向と同様に、重複したＭＡＣ  ＰＤＵの伝送によりスループットの低下を招く。スループットの低下により、例えば、リアルタイムで動画を伝送するとき、端末６０側ではコマ落ちの状態で動画が表示されるなど、サービスにも影響をもたらすことにもなる。【００２９】
そこで、本発明は上記問題点に鑑みてなされたもので、その目的は、再送制御中にハンドオーバが行われたときでもスループットを向上させるようにした無線通信システムや、無線基地局、及び無線通信方法を提供することにある。
【課題を解決するための手段】
【００３０】
上記目的を達成するために、本発明の一実施態様によれば、第１の無線基地局と端末との間で無線通信が行われているときにハンドオーバにより前記第１の無線基地局に代わり第２の無線基地局と前記端末との間で無線通信が行われる無線通信システムにおいて、前記第１の無線基地局には、前記第１の無線基地局に残留したデータを前記第２の無線基地局に転送する場合に、前記端末から前記第１の無線基地局に送信された送信パケットのうち、送達確認のとれていない未送達のパケットに対してダミーパケットを作成し、前記ダミーパケットを含むデータパケットを作成するデータパケット作成部と、作成された前記データパケットをハンドオーバ先の前記無線基地局に転送する転送部とを備え、前記第２の無線基地局には、前記データパケットを受信するデータパケット受信部と、受信した前記データパケットから前記未送達のパケットの伝送要求を前記端末に要求し、前記未送達のパケットを前記端末から受信する未送達パケット受信部とを備えることを特徴とする。【００３１】
また、上記目的を達成するために、本発明の他の実施態様によれば、端末と無線通信を行う無線基地局において、前記端末によりハンドオーバが実行されたとき、残留したデータをハンドオーバ先の無線基地局に転送する場合に、前記端末からの伝送されたパケットが、前記端末から送達確認のとれていない再送中又は未送信である未送達のパケットか、送達確認のとれた送達済みのパケットかを識別するパケット識別部と、前記パケット識別部により前記未送達のパケットと識別された前記パケットに対し、ダミーパケットを作成し、前記ダミーパケットを含むデータパケットを作成するデータパケット作成部と、作成された前記データパケットをハンドオーバ先の無線基地局に転送する転送部とを備えることを特徴とする。【００３２】
更に、上記目的を達成するために、本発明の他の実施態様によれば、第１の無線基地局と端末との間で無線通信が行われているときにハンドオーバにより前記第１の無線基地局に代わり第２の無線基地局と前記端末との間で無線通信が行われる無線通信システムにおける無線通信方法において、前記第１の無線基地局において、前記第１の無線基地局に残留したデータを前記第２の無線基地局に転送する場合に、前記端末から前記第１の無線基地局に送信された送信パケットのうち、送達確認のとれていない未送達のパケットに対してダミーパケットを作成し、前記ダミーパケットを含むデータパケットを作成し、作成された前記データパケットをハンドオーバ先の前記無線基地局に転送し、前記第２の無線基地局において、前記データパケットを受信し、受信した前記データパケットから前記未送達のパケットの伝送要求を前記端末に要求し、前記未送達のパケットを前記端末から受信することを特徴とする。
【発明の効果】
【００３３】
本発明によれば、再送制御中にハンドオーバが行われたときでもスループットを向上させるようにした無線通信システムや、無線基地局、及び無線通信方法を提供することができる。
【図面の簡単な説明】
【００３４】
【図１】図１はＷ−ＣＤＭＡシステムの構成例を示す図である。
【図２】図２はＨＳＰＡシステムの構成例を示す図である。
【図３】図３はＥ３Ｇシステムの構成例を示す図である。
【図４】図４はＷ−ＣＤＭＡのインフラサイドの構成例を示す図である。
【図５】図５はＨＳＰＡインフラサイドの構成例を示す図である。
【図６】図６はＥ３Ｇインフラサイドの構成例を示す図である。
【図７】図７は端末の構成例を示す図である。
【図８】図８はデータの流れとパケット作成例を示す図である。
【図９】図９はデータの流れとパケット作成例を示す図である。
【図１０】図１０はデータの流れとパケット作成例を示す図である。
【図１１】図１１はデータの流れとパケット作成例を示す図である。
【図１２】図１２はＭＡＣ  ＰＤＵの上位への伝送等の例を示す図である。
【図１３】図１３はＲＬＣ  ＰＤＵの上位への伝送等の例を示す図である。
【図１４】図１４はＥ３ＧシステムにおけるＲＬＣ  ＳＤＵの転送例を示す図である。
【図１５】図１５はデータ構成の例を示す図である。
【図１６】図１６はダミーＭＡＣ  ＰＤＵＩ型の例を示す図である。
【図１７】図１７はダミーＭＡＣ  ＰＤＵＩＩ型の例を示す図である。
【図１８】図１８はダミーＭＡＣ  ＰＤＵＩＩＩ型の例を示す図である。
【図１９】図１９はダミーＭＡＣ  ＰＤＵＩＶ型の例を示す図である。
【図２０】図２０はダミーＭＡＣ  ＰＤＵＶ型の例を示す図である。
【図２１】図２１はダミーＭＡＣ  ＰＤＵＶＩ型の例を示す図である。
【図２２】図２２はダミーＭＡＣ  ＰＤＵＶＩＩ型の例を示す図である。
【図２３】図２３はＥ３Ｇシステムの構成例を示す図である。
【図２４】図２４は転送元無線基地局の構成例を示す図である。
【図２５】図２５は転送先無線基地局の構成例を示す図である。
【図２６】図２６はＭＭＥ／ＵＰＥの構成例を示す図である。
【図２７】図２７は端末の構成例を示す図である。
【図２８】図２８は処理シーケンスの例を示す図である。
【図２９】図２９は転送元無線基地局の構成例を示す図である。
【図３０】図３０は転送先無線基地局の構成例を示す図である。
【図３１】図３１は端末の構成例を示す図である。
【図３２】図３２はＲＬＣ  ＰＤＵの例を示す図である。
【図３３】図３３は処理シーケンスの例を示す図である。
【図３４】図３４は転送元無線基地局の構成例を示す図である。
【図３５】図３５は転送先無線基地局の構成例を示す図である。
【図３６】図３６はＲＬＣ  ＰＤＵの例を示す図である。
【図３７】図３７は処理シーケンスの例を示す図である。
【図３８】図３８はダミーＭＡＣ  ＰＤＵの例を示す図である。
【図３９】図３９はダミーＭＡＣ  ＰＤＵの例を示す図である。
【図４０】図４０は転送元無線基地局の構成例を示す図である。
【図４１】図４１は転送先無線基地局の構成例を示す図である。
【図４２】図４２は端末の構成例を示す図である。
【図４３】図４３は処理シーケンスの例を示す図である。
【図４４】図４４は転送元無線基地局の構成例を示す図である。
【図４５】図４５は転送先無線基地局の構成例を示す図である。
【図４６】図４６はＲＬＣ  ＰＤＵの例を示す図である。
【図４７】図４７は処理シーケンスの例を示す図である。
【図４８】図４８はＲＬＣ  ＰＤＵの例を示す図である。
【図４９】図４９は転送元無線基地局の構成例を示す図である。
【図５０】図５０は転送先無線基地局の構成例を示す図である。
【図５１】図５１は処理シーケンスの例を示す図である。
【図５２】図５２はＲＬＣ  ＰＤＵの例を示す図である。
【図５３】図５３はＲＬＣ  ＰＤＵの例を示す図である。
【図５４】図５４はＲＬＣ  ＰＤＵの例を示す図である。
【図５５】図５５はＲＬＣ  ＰＤＵの例を示す図である。
【図５６】図５６は端末の構成例を示す図である。
【符号の説明】
【００３５】
１１：ＭＭＥ／ＵＰＥ                  ２１：転送元無線基地局（ｅＮｏｄｅＢ）
３１：転送先無線基地局（ｅＮｏｄｅＢ）４０：端末
２１４：誤り確認部                    ２１８：再送制御部
２１９：一時記憶部                    ２２１：転送パケット作成部
２２２：転送制御部                    ２２３：ダミーパケット作成部
２２４：ダミーパケット情報作成部      ２２５：転送パケット情報作成部
２５０：ＨＡＲＱ一時記憶部            ２５１：ＨＡＲＱ制御部
２６０：ダミーＭＡＣ  ＰＤＵ情報作成部
２６１：ダミーＭＡＣ  ＰＤＵ作成部    ２６２：ダミーＲＬＣ  ＰＤＵ情報作成部
２６３：ダミーＲＬＣ  ＰＤＵ作成部    ２６４：転送ＲＬＣ  ＳＤＵ情報作成部
２６５：転送ＲＬＣ  ＳＤＵ作成部      ２７０：ＡＣＫ／ＮＡＣＫ抽出部
２７２：ＨＡＲＱ制御部                ２７５：ダミーＭＡＣ  ＰＤＵ作成部
２７７：転送ＲＬＣ  ＰＤＵ作成部      ２７８：転送ＲＬＣ  ＰＤＵ情報作成部
２７９：転送ＲＬＣ  ＳＤＵ作成部      ２８０：転送ＲＬＣ  ＳＤＵ情報作成部
３１４：誤り確認部                    ３１８：再送制御部
３１９：一時記憶部                    ３２２：ダミーパケット識別部
３２３：ダミーパケット識別情報抽出部  ３５０：ＨＡＲＱ制御部
３５１：ＨＡＲＱ一時記憶部            ３５２：ＲＬＣ  ＳＤＵ識別部
３５３：転送ＲＬＣ  ＳＤＵ識別情報抽出部
３５４：ＲＬＣ  ＰＤＵ識別部          ３５５：転送ＲＬＣ  ＰＤＵ識別情報抽出部
３５６：ＭＡＣ  ＰＤＵ識別部          ３５７：ダミーＭＡＣ  ＰＤＵ識別情報抽出部
３７０：ＡＣＫ／ＮＡＣＫ抽出部        ３７１：再送制御部
３７７：一時記憶部                    ３８２：ダミーパケット識別部
３８３：ダミーパケット識別情報抽出部  ３９０：ＨＡＲＱ制御部
３９１：ＨＡＲＱ一時記憶部            ３９２：ＲＬＣ  ＳＤＵ識別部
３９３：転送ＲＬＣ  ＳＤＵ識別情報抽出部
３９４：ＲＬＣ  ＰＤＵ識別部          ３９５：転送ＲＬＣ  ＰＤＵ識別情報抽出部
３９６：ＭＡＣ  ＰＤＵ識別部          ３９７：ダミーＭＡＣ  ＰＤＵ識別情報抽出部
４１３：ＡＣＫ／ＮＡＣＫ抽出部        ４１４：再送制御部
４２０：ＨＡＲＱ制御部                ４２７：ＨＡＲＱ一時記憶部
４３３：一時記憶部                    ４３４：再送制御部
４４０：ＨＡＲＱ一時記憶部            ４４１：ＨＡＲＱ制御部
【発明を実施するための最良の形態】
【００３６】
本発明を実施するための最良の形態について以下説明する。
【実施例１】
【００３７】
まず、実施例１について説明する。本実施例１では上り方向（端末から無線基地局の方向）の例について説明する。【００３８】
図１５は、ＲＬＣ  ＳＤＵ、ＲＬＣ  ＰＤＵ、ＭＡＣ  ＰＤＵのデータ構成の例を示す。図１５に示すように、次のような例を考える。すなわち、ＲＬＣ  ＰＤＵのシーケンス番号「７」に含まれるＭＡＣ  ＰＤＵのうち、シーケンス番号「９」から「１１」までは端末から無線基地局に送達済みである。シーケンス番号「１２」のＭＡＣ  ＰＤＵは再送制御により再送中である。また、シーケンス番号「１３」のＭＡＣＰＤＵは送達済みであり、「１４」以降は未受信（端末は無線基地局にＭＡＣ  ＰＤＵを出力していない）であるとする。このため、シーケンス番号「７」のＲＬＣ  ＰＤＵは上位に送信できず、シーケンス番号「２１」のＲＬＣ  ＳＤＵは伝送不可（又は転送不可）である。伝送させずに残ったＲＬＣ  ＳＤＵや、当該ＲＬＣ  ＳＤＵに含まれるＭＡＣ  ＰＤＵを残留データと称する。【００３９】
このような状態で、端末がハンドオーバを行うときを考える。ハンドオーバ元の無線基地局はデータの欠落を防ぐため、ハンドオーバ先の無線基地局にデータ（残留データ）を送信する必要がある。従来では、１つＭＡＣ  ＰＤＵが再送中のとき、ＲＬＣ  ＳＤＵは構成できず、端末４０はハンドオーバ先の無線基地局に再送中のＭＡＣ  ＰＤＵを含むＲＬＣ  ＳＤＵを新規に送信していた。【００４０】
本実施例では、図１６に示すように、再送中のＭＡＣ  ＰＤＵに含まれる誤りを含んだデータを破棄して特定パターンデータ（例えば、すべて「０」など）によりダミーＭＡＣ  ＰＤＵを構成して、ハンドオーバ元の無線基地局からハンドオーバ先の無線基地局に転送する。これにより、ハンドオーバ先の無線基地局ではダミーＭＡＣ  ＰＤＵに対してのみ、端末４０からデータの送信を要求してデータが送信されるため、重複したＭＡＣ  ＰＤＵの送信が行われることがない。従って、スループットの向上を図ることができる。【００４１】
尚、特定パターンのダミーＭＡＣ  ＰＤＵを転送するとき、ハンドオーバ元とハンドオーバ先とで互いに特定パターンのデータがダミーＭＡＣ  ＰＤＵであることを予めデータの送受信等により認識しておく必要がある。【００４２】
図１７は、再送中のＭＡＣ  ＰＤＵを特定パターンではなく、誤りを含んだままの再送中のデータをそのまま使用してダミーＭＡＣ  ＰＤＵとする例である。この場合、ハンドオーバ先の無線基地局に対して、ダミーＭＡＣ  ＰＤＵであることを識別するために、ダミーＭＡＣ  ＰＤＵを含んだＲＬＣ  ＰＤＵ（やＲＬＣ  ＳＤＵ）であることを通知しておく。例えば、伝送するときのヘッダに情報を挿入してもよいし、制御信号で別途伝送するようにしてもよい。【００４３】
図１８は、再送中のＭＡＣ  ＰＤＵではなく、未受信のＭＡＣ  ＰＤＵに対して特定コードのダミーＭＡＣ  ＰＤＵを構成する例である。未受信のＭＡＣ  ＰＤＵにもダミーＭＡＣ  ＰＤＵを作成することで、ＲＬＣ  ＳＤＵを構成しハンドオーバ先の無線基地局に転送することができるからである。この場合も、予め特定パターンがダミーＭＡＣ  ＰＤＵであることを無線基地局間で予め通知しておく。【００４４】
説明の容易のため、図１６をダミーＭＡＣ  ＰＤＵＩ型、図１７をダミーＭＡＣ  ＰＤＵＩＩ型、図１８をダミーＭＡＣ  ＰＤＵＩＩＩ型を称する。また、本実施例のみならず、以下に示す全実施例において、ハンドオーバ元からハンドオーバ先の無線基地局への転送単位をＲＬＣ  ＳＤＵ単位として主に説明するが、ＲＬＣ  ＰＤＵ単位でも同様に実施でき同様の作用効果を奏する。【００４５】
尚、下り方向のダミーＭＡＣ  ＰＤＵを示す図１８乃至図２０については実施例４以降で説明する。【００４６】
次に、本実施例１における構成と動作について説明する。図２３はＥ３Ｇシステムのシステム構成例を示し、図２４は転送元（ハンドオーバ元）無線基地局、図２５は転送先（ハンドオーバ先）無線基地局、図２６は上位装置であるＭＭＥ／ＵＰＥ、図２７は端末、の各構成例を示す。【００４７】
図２３に示すように、Ｅ３Ｇシステムは、ＭＭＥ／ＵＰＥ１１と、ハンドオーバ元の転送元無線基地局（ｅＮｏｄｅ_Ｂ）２１と、ハンドオーバ先の転送先無線基地局（ｅＮｏｄｅ_Ｂ）３１と、端末（ＵＥ）４０から構成される。ＭＭＥ／ＵＰＥ１１等の内部構成は、機能ブロックを示し、各ブロックについては従来技術で説明したため説明を省略する。【００４８】
図２４は、転送元無線基地局２１の具体的構成例を示す図である。同図に示すように、転送元無線基地局２１は、受信無線部２１１と、復調部２１２と、復号部２１３と、誤り確認部２１４と、受信電界強度情報抽出部２１５と、ハンドオーバ制御部２１６と、再送制御部２１８と、一時記憶部２１９と、パケット作成部２２０と、転送パケット作成部２２１と、転送制御部２２２と、ダミーパケット作成部２２３と、ダミーパケット情報作成部２２４と、転送パケット情報作成部２２５と、ＡＣＫ／ＮＡＣＫ作成部２２６と、スケジューラ部２２８と、上り送信制御情報作成部２２９と、符号化部２３０と、変調部２３１と、送信無線部２３２とを備える。【００４９】
図２５は、転送先無線基地局３１の具体的構成例を示す図である。同図に示すように、転送先無線基地局３１は、受信無線部３１１と、復調部３１２と、復号部３１３と、誤り確認部３１４と、ハンドオーバ制御部３１６と、再送制御部３１８と、一時記憶部３１９と、転送制御部３２０と、転送パケット受信部３２１と、ダミーパケット識別部３２２と、ダミーパケット識別情報抽出部３２３と、転送パケット作成部３２４と、ＡＣＫ／ＮＡＣＫ作成部３２６と、スケジューラ部３２８と、上り送信制御情報作成部３２９と、符号化部３３０と、変調部３３１と、送信無線部３３２を備える。【００５０】
図２６は、上位装置であるＭＭＥ／ＵＰＥ１１の具体的構成例を示す図である。同図に示すように、ＭＭＥ／ＵＰＥ１１はＰＤＣＰ部１２を備え、ＰＤＤＣＰ部１２は、ＲＯＨＣ（Robust Header Compression）部１２１と、暗号化部１２２と、ＰＤＣＰ  ＰＤＵ作成部１２３とを備える。ＭＭＥ／ＵＰＥ１１は、所定数のデータブロックを含むデータユニットを形成してからルーティングを行う装置である。【００５１】
図２７は、端末４０の具体的構成例を示す図である。同図に示すように、端末４０は、転送パケット受信部４０１と、送信パケット作成部４０２と、符号化部４０３と、変調部４０４と、送信無線部４０５と、受信電界強度測定部４０６と、受信電界強度情報作成部４０８と、受信無線部４０９と、復調部４１０と、復号部４１１と、上り送信制御情報抽出部４１２と、ＡＣＫ／ＮＡＣＫ抽出部４１３と、再送制御部４１４とを備える。【００５２】
このように構成されたＥ３Ｇシステムの各部１１等は次のように動作する。すなわち、端末４０の転送パケット受信部４０１は、例えば、端末４０のカメラで撮影した画像データを受信し、送信パケット作成部４０２は、受信した画像データから送信パケットを作成する。送信パケットは、符号化部４０３、変調部４０４で夫々符号化、変調され、送信無線部４０５で所定の周波数に変換されて、アンテナを介して転送元無線基地局２１に伝送される。【００５３】
端末４０から伝送された送信パケットは、転送元無線基地局２１の受信無線部２１１で受信され、復調部２１２、復号部２１３を介して復調、復号され、誤り確認部２１４に出力される。誤り確認部２１４では、復号後の送信パケットについてＣＲＣ符号に基づいてデータに誤りがあるか否かを判定し、その判定結果を再送制御部２１８に出力するとともに、復号部２１３からの送信パケットのデータを一時記憶部２１９に一時記憶させる。【００５４】
一方、端末４０の受信電界強度測定部４０６は、無線基地局２１，３１からの受信電界強度を測定し、受信電界強度情報作成部４０８において受信電界強度情報が作成される。当該情報は、符号化部４０３、変調部４０４、送信無線部４０５を経由して、端末４０から転送元無線基地局２１に伝送される。【００５５】
受信電界強度情報は、受信無線部２１１、復調部２１２、復号部２１３を経由して受信電界強度情報抽出部２１５に出力される。そして、ハンドオーバ制御部２１６において、受信電界強度情報から、端末４０のハンドオーバを判定する。ハンドオーバ制御部２１６は、端末４０のハンドオーバが実行されたことを判定すると、図２４の二点鎖線で示すように、各部に制御信号を出力することで再送制御部２１８から転送制御部２２２にかけての各部が動作する。【００５６】
転送元無線基地局２１の再送制御部２１８は、ハンドオーバ制御部２１６によるハンドオーバが実行されることを示す制御信号が入力されると、復号部２１３から復号された送信パケットが再送中のパケットか、未受信のパケットか、送達済みのパケットかを判定する。【００５７】
判定は以下のようにして行う。すなわち、再送制御部２１８は、誤り確認部２１４から「誤りなし」を示す信号が入力されたとき、送信パケットは「送達済み」のパケットと判定し、「誤りあり」を示す信号が入力されたとき、送信パケットは「再送中」のパケットであると判定し、「誤りあり」と「誤りなし」を示す双方の信号が入力されないとき送信パケットは「未受信」のパケットと判定する。【００５８】
再送制御部２１８は送信パケットが「送達済み」のパケットと判定したときは、パケット作成部２２０にパケット作成を指示する制御信号を出力し、それに基づいてパケット作成部２２０は一時記憶部２１９から送信パケットに含まれるデータを読み出してパケットを作成して転送パケット作成部２２１に出力する。【００５９】
尚、一時記憶部２１９では、送信パケットの順番を送信順に並び替えるように記憶される、或いは送信順となるようにダミーパケット作成部２２３により読み出される。【００６０】
転送パケット作成部２２１は、複数のパケットを統合する等により転送パケットを作成し、転送制御部２２２に出力する。転送制御部２２２は、転送パケットを転送先無線基地局３１に転送する。【００６１】
一方、再送制御部２１８は送信パケットが「再送中」のパケットと判定したときは、ダミーパケット作成部２２３に対して「再送中」であることを示すダミーパケット作成を指示するとともに、それ以外のパケットに対してはパケット作成部２２０にパケット作成を指示する。更に、再送制御部２１８は、ダミーパケット情報作成部２２４にも「再送中」のダミーパケット作成を指示する。ダミーパケット作成部２２３は、この指示に基づいて、ダミーパケット情報作成部２２４から特定パターンのデータ（例えば、すべて「０」等）を読出し、ダミーパケットを作成する。或は、ダミーパケット作成部２２３は再送中で誤りを含むデータを一時記憶部２１９から読出してダミーパケットを作成する。【００６２】
転送パケット作成部２２１は、作成されたダミーパケットとパケット作成部２２０からのパケットとを複数まとめて統合する等により転送パケットを作成する。【００６３】
一方、ダミーパケット情報作成部２２４は、「再送中」のダミーパケットであることや、ダミーパケットのシーケンス番号等を示すダミーパケット情報を作成して転送パケット情報作成部２２５に出力する。転送パケット情報作成部２２５では、ダミーパケット情報から転送パケット情報を作成する。転送パケット情報には「再送中」のダミーパケットであることを示す情報や、ダミーパケットのシーケンス番号、ダミーパケットに含まれるダミービットのパターン、ダミービット長等を示すダミーパケット情報も含まれる。【００６４】
転送パケット作成部２２１は、転送パケット情報作成部２２５から、転送パケット情報を読み出して転送パケットのヘッダに、ダミーパケット識別情報として付加し転送パケットを作成する。そして、転送パケットが転送制御部２２２から転送先無線基地局３１に転送される。【００６５】
尚、ダミーパケット識別情報は、別途制御信号として転送パケット情報作成部２２５から転送先無線基地局３１に転送するようにしてもよい。【００６６】
再送制御部２１８は、送信パケットが「未受信」のパケットと判定したときは、「再送中」と略同様に、ダミーパケット作成部２２３にダミーパケットの作成を指示するともに、パケット作成部２２０にそれ以外の送信パケットに対してパケット作成を指示する。更に、再送制御部２１８は、「未受信」のダミーパケット作成をダミーパケット情報作成部２２４に指示する。【００６７】
ダミーパケット作成部２２３はダミーパケット情報作成部２２４から特定パターンのデータを読み出してダミーパケットを作成する。作成されたダミーパケットと、パケット作成部２２０で作成されたパケットは転送パケット作成部２２１で複数個統合されて転送パケットとなり、転送制御部２２２から転送先無線基地局３１に転送される。【００６８】
この際、転送パケット作成部２２１は、転送パケット情報作成部２２５から転送パケットには「未受信」のダミーパケットが含まれること等を示すダミーパケット識別情報をヘッダに付加する、或いは、当該情報が制御信号として転送パケット情報作成部２２５から転送先無線基地局３１に転送される。【００６９】
尚、再送制御部２１８は、誤り確認部２１４からの誤りなし、ありを示す信号から、「誤りあり」のときは、ＡＣＫ／ＮＡＣＫ作成部２２６に対して「ＮＡＣＫ」を作成するように指示し、「誤りなし」のときは「ＡＣＫ」を作成するように指示する。ＡＣＫ／ＮＡＣＫ作成部２２６は、作成した「ＮＡＣＫ」又は「ＡＣＫ」を示す信号を符号化部２３０に出力し、符号化され、変調部２３１、送信無線部２３２を経由して端末４０に伝送される。【００７０】
また、スケジューラ部２２８は、端末４０からの無線回線品質を示す情報(例えばCQI)が入力され、それに基づいて「どの端末がパケットを送信するか」を決定し、当該端末４０に対して送信制御情報の作成を上り送信制御情報作成部２２９に指示する。上り送信制御情報作成部２２９は、決定した端末４０に対して、変調方法や符号化方法等を示す上り送信制御情報を作成する。作成された上り送信制御情報は、符号化部２３０等を介して端末４０に伝送され、この制御情報に基づいて端末４０は、上述したように、転送元無線基地局２１に送信パケットを伝送する。【００７１】
ハンドオーバ先の無線基地局（転送先無線基地局）３１は、転送元無線基地局２１から転送された転送パケットを受信する。転送パケットは、転送制御部３２０に転送され、転送パケット受信部３２１で一旦保持され転送パケットからパケットに分割される。【００７２】
また、転送パケット受信部３２１は転送パケットのヘッダに付加されたダミーパケット識別情報、あるいは制御信号として転送されたパケット識別情報をダミーパケット識別情報抽出部３２３に出力する。【００７３】
ダミーパケット識別情報抽出部３２３は、ダミーパケット識別情報からダミーパケットのパターンを抽出する。例えば、ダミーパケットはすべて「０」、未受信のダミーパケットもすべて「０」などである。ダミーパケット識別情報抽出部３２３は、パケットが「再送中」のパケットか、「未受信」のパケット、「送達済み」のパケットかを示すダミーパケット識別情報を抽出し、その情報を再送制御部３１８に出力する。【００７４】
ダミーパケット識別部３２２は、ダミーパケット識別情報抽出部３２３で抽出されたダミーパターンから、ダミーパケットが特定パターンのダミーパケット（例えば、図１６に示すＩ型又は図１８に示すＩＩＩ型）か、再送中データのダミーパケット（例えば、図１７のＩＩ型）か、送達済みのパケットかを識別する。識別結果は再送制御部３１８に出力される。【００７５】
特定パターンのダミーパケットの場合、再送制御部３１８はパケットを破棄する。再送データのダミーパケット又は「送達済み」パケットの場合、再送制御部３１８はパケットを一時記憶部３１９に出力し一時記憶する。【００７６】
そして、再送制御部３１８は、ダミーパケット識別情報抽出部３２３からのダミーパケット識別情報に基づいて以下のように動作する。すなわち、ダミーパケットが「再送中」のとき、当該パケットの新規伝送を端末４０に依頼すべく、スケジューラ部３２８に指示する。この際に、「再送中」のダミーパケットのシーケンス番号（上述の例ではシーケンス番号「１２」）を伝送するように指示する。【００７７】
スケジューラ部３２８は、端末４０が選択されたものとして、上り送信制御情報作成部３２９に端末４０の送信制御情報の作成を指示する。上り送信制御情報作成部３２９は、端末４０の符号化等を示す送信制御情報を作成し、符号化部３３０、変調部３２１、送信無線部３３２を介して端末４０に伝送する。【００７８】
端末４０では、転送パケット受信部４０１で当該送信制御情報を受信し、再送制御部４１４の制御により、送信パケット作成部４０２において送信パケットが作成される。作成された送信パケットは符号化部４０３等を介して転送先無線基地局３１に伝送される。【００７９】
送信パケットは、転送先無線基地局３１の受信無線部３１１等を介して誤り確認部３１４に転送される。誤り確認部３１４で誤りが確認され、伝送された送信パケットに誤りがあれば再送制御部３１８の制御により「ＮＡＣＫ」信号が作成され、端末４０に送信され再送される。【００８０】
一時記憶部３１９には、ダミーパケットが再送中データによるダミーパケットの場合、再送中データがそのまま一時記憶部３１９に記憶されているため、これと新規伝送あるいは再送された送信パケットのデータとを合成して誤り確認部３１４で確認し、誤りがないと送信パケットを転送パケット作成部３２４に出力する。転送パケット作成部３２４は、送信パケットから転送パケットを作成し、転送制御部３２０から上位装置であるＭＭＥ／ＵＰＥ１１に転送する。【００８１】
ダミーパケットが特定パターンによるダミーパケットの場合は、破棄されているため、新規伝送等された送信パケットが一時記憶部３１９に記憶され、転送パケット作成部３２４、転送制御部３２０を介して転送パケットとしてＭＭＥ／ＵＰＥ１１に転送される。【００８２】
パケットが「未受信」のとき、再送制御部３１８は、スケジューラ部３２８に対して、「再送中」の場合と同様に、「未受信」に対応するパケットの新規伝送を端末４０に対して依頼すべく指示する。端末４０から「未受信」に対応する送信パケットが伝送され、当該送信パケットは一時記憶部３１９、転送パケット作成部３２４等を介して、転送パケットとしてＭＭＥ／ＵＰＥ１１に転送される。【００８３】
パケットが「送達済み」のとき、転送パケット作成部３２４は、一時記憶部３１９に記憶されたパケットのデータを読み出して転送パケットを作成し、転送制御部３２０を介して、ＭＭＥ／ＵＰＥ１１に転送する。【００８４】
図２８は、本実施例１における上り方向の処理のシーケンス例を示す図である。上述した処理をまとめたもので、重複して説明する部分もあり、以下簡単に説明する。【００８５】
まず、転送元無線基地局（ＢＴＳ１）２１では、端末４０のハンドオーバを検知すると（Ｓ１０）、端末４０から送信されたパケットの検出を行う（Ｓ１１）。すなわち、転送元無線基地局２１では、パケットが「再送中」のパケットか、「未受信」（又は「未送信」）のパケットか、「送達済み」のパケットかを検出する。【００８６】
そして、転送元無線基地局２１は、「送達済み」パケットに対しては、「送達済み」パケットから転送パケットを作成し（Ｓ１２）、「再送中」のパケットに対しては、ダミーパケット（例えば、図１６や図１７に示すパケット）を作成し（Ｓ１３）、「未受信」のパケットに対してもダミーパケット（例えば、図１８に示すパケット）を作成し（Ｓ１４）、ダミーパケット等をまとめる等することで転送パケットを作成する（Ｓ１５）。【００８７】
その後、ハンドオーバが実際に実施されると（Ｓ１６）、ダミーパケットの種別を示すダミーパケット識別情報（「送達済み」パケットか、「再送中」パケットか、「未受信」パケットか、を示す）を含む転送パケット情報を通知する（Ｓ１７）。そして、転送パケットを転送先無線基地局３１に転送する（Ｓ１８）。尚、転送パケットに転送パケット情報を付加して同時に転送するようにしてもよいし、図２８に示すように別々に転送するようにしてもよい。【００８８】
転送先無線基地局（ＢＴＳ２）３１は、再送対象のパケットを確認し（Ｓ１９）、「再送中」や「未受信」のパケットの伝送要求を端末（ＵＥ１）４０に出力する（Ｓ２０）。端末４０は、送信対象のパケットを確認し（Ｓ２１）、対象のパケットを送信する（Ｓ２２）。
【実施例２】
【００８９】
次に、実施例２について説明する。本実施例２では、パケットを具体的に、ＭＡＣ  ＰＤＵやＲＬＣ  ＰＤＵ、ＲＬＣ  ＳＤＵとした例である。また、ダミーパケットは、「再送中」のＭＡＣ  ＰＤＵパケットに対してはダミーＭＡＣ  ＰＤＵＩ型、「未受信」のＭＡＣ  ＰＤＵに対してはダミーＭＡＣ  ＰＤＵＩＩＩ型とする例である。【００９０】
図２９は本実施例２における転送元無線基地局２１の構成例、図３０は転送先無線基地局３１の構成例、図３１は端末の構成例、図３２はダミーＭＡＣ  ＰＤＵを含むＲＬＣ  ＰＤＵの構成例、図３３は処理シーケンスの例、を夫々示す図である。【００９１】
図２９に示すように、本実施例２における転送元無線基地局２１は、実施例１の転送元無線基地局２１（図２４）と比較して、ＭＡＣ  ＰＤＵと、ＲＬＣ  ＰＤＵ、及びＲＬＣ  ＳＤＵを具体的に作成するように構成される。【００９２】
すなわち、転送元無線基地局２１は、新たに、ＨＡＲＱ一時記憶部２５０と、ＨＡＲＱ制御部２５１と、ＭＡＣ  ＰＤＵ情報作成部２５２と、ＭＡＣ  ＰＤＵ作成部２５３と、ＲＬＣ  ＰＤＵ情報作成部２５４と、ＲＬＣ  ＰＤＵ作成部２５５と、伝送ＲＬＣ  ＳＤＵ情報作成部２５６と、伝送ＲＬＣ  ＳＤＵ作成部２５７と、ダミーＭＡＣ  ＰＤＵ情報作成部２６０と、ダミーＭＡＣ  ＰＤＵ作成部２６１と、ダミーＲＬＣ  ＰＤＵ情報作成部２６２と、ダミーＲＬＣ  ＰＤＵ作成部２６３と、転送ＲＬＣ  ＳＤＵ情報作成部２６４と、転送ＲＬＣ  ＳＤＵ作成部２６５と、ＡＲＱ一時記憶部２６６と、ＡＲＱ制御部２６７とを備える。【００９３】
また、図３０に示すように、転送先無線基地局３１においても、新たに、ＨＡＲＱ制御部３５０と、ＨＡＲＱ一時記憶部３５１と、ＲＬＣ  ＳＤＵ識別部３５２と、転送ＲＬＣ  ＳＤＵ識別情報抽出部３５３と、ＲＬＣ  ＰＤＵ識別部３５４と、転送ＲＬＣ  ＰＤＵ識別情報抽出部３５５と、ＭＡＣ  ＰＤＵ識別部３５６と、ダミーＭＡＣ  ＰＤＵ識別情報抽出部３５７と、ＭＡＣ  ＰＤＵ作成部３５８と、ＡＲＱ制御部３５９と、ＡＲＱ一時記憶部３６０と、ＲＬＣ  ＰＤＵ作成部３６１と、ＲＬＣ  ＳＤＵ作成部３６２を備える。【００９４】
更に、図３１に示すように、端末４０においても、新たに、ＨＡＲＱ制御部４２０と、ＡＲＱ  ＡＣＫ／ＮＡＣＫ抽出部４２１と、ＡＲＱ制御部４２２と、ＲＬＣ  ＳＤＵ（ＰＤＣＰ  ＰＤＵ）受信部４２３と、ＲＬＣ  ＰＤＵ作成部４２４と、ＡＲＱ一時記憶部４２５と、ＭＡＣ  ＰＤＵ作成部４２６を、ＨＡＲＱ一時記憶部４２７と、送信パケット作成部４２８とを備える。【００９５】
このように構成されたＥ３Ｇシステムにおける各部１１等は以下のように動作する。すなわち、端末４０の送信パケット作成部４２８は、送信パケットを作成し、符号化部４０３等を介して、転送元無線基地局２１に伝送する。この送信パケットはＭＡＣ  ＰＤＵ単位で送信される。【００９６】
転送元無線基地局２１では、送信されたＭＡＣ  ＰＤＵを、受信無線部２１１等を介して誤り確認部２１４に送信する。誤り確認部２１４では、ＭＡＣ  ＰＤＵの誤りを検出し、「誤りあり」又は「誤りなし」の情報をＨＡＲＱ制御部２５１に出力する。誤り確認部２１４は、送信パケットを誤りあり等に拘わらずＨＡＲＱ一時記憶部２５０に出力する。【００９７】
そして、ハンドオーバ制御部２１６で端末４０のハンドオーバを検出すると、以下の動作が行われる。【００９８】
ＨＡＲＱ制御部２５１は、誤り確認部２１４からの情報に基づいて、ＭＡＣ  ＰＤＵの種別を検出する。すなわち、ＨＡＲＱ制御部２５１は、受信したＭＡＣ  ＰＤＵが「誤りあり」の場合、当該ＭＡＣ  ＰＤＵは「再送中」のＭＡＣ  ＰＤＵと判定し、「誤りなし」の場合「送達済み」のＭＡＣ  ＰＤＵと判定し、どちらの情報も得られないときは、「未受信」のＭＡＣ  ＰＤＵと判定する。【００９９】
ＨＡＲＱ制御部２５１は、「送達済み」のＭＡＣ  ＰＤＵと判定したとき、ＭＡＣ  ＰＤＵ情報作成部２５２やＭＡＣ  ＰＤＵ作成部２５３に対して、ＭＡＣ  ＰＤＵを作成するように指示する。ＭＡＣ  ＰＤＵ作成部２５３により、ＭＡＣ  ＰＤＵが作成され、ＡＲＱ一時記憶部２６６でリオーダリング処理を施し、複数個（例えば、８個）揃ったときに、ＲＬＣ  ＰＤＵ作成部２５５によりＲＬＣ  ＰＤＵを作成する。更に、伝送ＲＬＣ  ＳＤＵ作成部２５７により複数個のＲＬＣ  ＰＤＵ（例えば、４個）が揃った段階で、ＲＬＣ  ＳＤＵが作成される。作成されたＲＬＣ  ＳＤＵは、転送制御部２２２から転送先無線基地局３１や上位装置であるＭＭＥ／ＵＰＥ１１に転送される。【０１００】
また、ＨＡＲＱ制御部２５１は、送信パケットが「再送中」のＭＡＣ  ＰＤＵと判定したとき、ダミーＭＡＣ  ＰＤＵ作成部２６１や  ダミーＭＡＣ  ＰＤＵ情報作成部２６０に対して、ダミーＭＡＣ  ＰＤＵＩ型のＭＡＣ  ＰＤＵの作成を指示するとともに、「再送中」のＭＡＣ  ＰＤＵ以外のＭＡＣ  ＰＤＵの作成をＭＡＣ  ＰＤＵ作成部２５３等に指示する。【０１０１】
ダミーＭＡＣ  ＰＤＵ作成部２６１は、ダミーＭＡＣ  ＰＤＵ情報作成部２６０から特定パターンのデータを読み出して、「再送中」のＭＡＣ  ＰＤＵに対して、ダミーＭＡＣ  ＰＤＵＩ型を作成する。【０１０２】
また、ダミーＭＡＣ  ＰＤＵ情報作成部２６０では、ダミーパターンを識別するための識別情報やダミーＭＡＣ  ＰＤＵのシーケンス番号、ダミービットのパターン、ダミービット長を示すパケット情報を作成し、ダミーＭＡＣ  ＰＤＵ作成部２６１でこれらの情報がヘッダとして付加される。或いは、これらの情報が制御信号として直接送信先無線基地局３１に転送するようにしてもよい。【０１０３】
作成されたダミーＭＡＣ  ＰＤＵはダミーＲＬＣ  ＰＤＵ作成部２６３に転送され、ＡＲＱ一時記憶部２６６に記憶されたＭＡＣ  ＰＤＵもダミーＲＬＣ  ＰＤＵ作成部２６３に転送される。ダミーＲＬＣ  ＰＤＵ作成部２６３は、ダミーＭＡＣ  ＰＤＵと、ＭＡＣ  ＰＤＵとを複数個統合することでダミーＭＡＣ  ＰＤＵを含むダミーＲＬＣ  ＰＤＵを作成する。ダミーＲＬＣ  ＰＤＵの例を図３２に示す。【０１０４】
そして、転送ＲＬＣ  ＳＤＵ作成部２６５で、ダミーＲＬＣ  ＰＤＵと、ＲＬＣ  ＰＤＵ作成部２５５からのＲＬＣ  ＰＤＵとを複数個纏める等して、ＲＬＣ  ＳＤＵ（以下、ダミーＭＡＣ  ＰＤＵを含むＲＬＣ  ＳＤＵを「転送ＲＬＣ  ＳＤＵ」、ダミーＭＡＣ  ＰＤＵを含まないＲＬＣ  ＳＤＵを「送達済みＲＬＣ  ＳＤＵ」と称す）が作成されて、転送ＲＬＣ  ＳＤＵは転送制御部２２２から転送先無線基地局３１に転送される。【０１０５】
尚、転送ＲＬＣ  ＳＤＵ作成部２６５や伝送ＲＬＣ  ＳＤＵ作成部２５７では、送信されるＲＬＣ  ＳＤＵが「送達済みＲＬＣ  ＳＤＵ」か「転送ＲＬＣ  ＳＤＵ」か、を示す識別情報をヘッダに付加する。これらの識別情報は、別途制御信号として直接転送先無線基地局３１に送信されてもよい。【０１０６】
ＨＡＲＱ制御部２５１は、送信パケットが「未受信」のＭＡＣ  ＰＤＵと判定したとき、同様に、ダミーＭＡＣ  ＰＤＵ作成部２６１等に対してダミーＭＡＣ  ＰＤＵＩＩＩ型のＭＡＣ  ＰＤＵの作成を指示するとともに、それ以外のＭＡＣ  ＰＤＵに対しては通常のＭＡＣ  ＰＤＵ作成をＭＡＣ  ＰＤＵ作成部２５３等に指示する。以降の処理は「再送中」の場合と同様である。【０１０７】
転送先無線基地局３１では、「転送ＲＬＣ  ＳＤＵ」又は「送達済みＲＬＣ  ＳＤＵ」を転送制御部３２０で受信し、ＲＬＣ  ＳＤＵ識別部３５２に出力する。【０１０８】
ＲＬＣ  ＳＤＵ識別部３５２は、転送されたＲＬＣ  ＳＤＵが「転送ＲＬＣ  ＳＤＵ」か「送達済みＲＬＣ  ＳＤＵ」か、を識別する。識別は、ヘッダの識別情報又は、制御信号として転送された情報から行う。ＲＬＣ  ＳＤＵ識別部３５２は、ＲＬＣ  ＳＤＵが「転送ＲＬＣ  ＳＤＵ」のときは、当該ＲＬＣ  ＳＤＵをＲＬＣ  ＰＤＵ識別部３５４に出力する。一方、ＲＬＣ  ＳＤＵ識別部３５２は、「送達済みＲＬＣ  ＳＤＵ」のときは、当該ＲＬＣ  ＳＤＵをＨＡＲＱ一時記憶部３５１に出力する。かかるＲＬＣ  ＳＤＵは、送達済みであり、端末４０から送信してもらう必要がないものの、ＨＡＲＱ制御部３５０が確実に「送達済みＲＬＣ  ＳＤＵ」であることを識別するために一時記憶される。【０１０９】
ＲＬＣ  ＰＤＵ識別部３５４は、「転送ＲＬＣ  ＳＤＵ」を複数のＲＬＣ  ＰＤＵに分割し、各ＲＬＣ  ＰＤＵにダミーＭＡＣ  ＰＤＵが含まれるか否か、を識別する。識別はヘッダに付加された識別情報、又は制御信号等による情報に基づいて行われる。【０１１０】
ＲＬＣ  ＰＤＵ識別部３５４は、ＲＬＣ  ＰＤＵにダミーＭＡＣ  ＰＤＵが含まれないと判断したとき、当該ＲＬＣ  ＰＤＵをＨＡＲＱ一時記憶部３５１に出力する。【０１１１】
一方、ＲＬＣ  ＰＤＵ識別部３５４は、ＲＬＣ  ＰＤＵにダミーＭＡＣ  ＰＤＵが含まれているとき、当該ＲＬＣ  ＰＤＵをＭＡＣ  ＰＤＵ識別部３５６に出力する。【０１１２】
ＭＡＣ  ＰＤＵ識別部３５６は、ＲＬＣ  ＰＤＵを分割して、各ＭＡＣ  ＰＤＵはダミーＭＡＣ  ＰＤＵか送達済みＭＡＣ  ＰＤＵであるか、を判断する。この判断も、ヘッダに付加された識別情報や制御信号により行う。送達済みＭＡＣ  ＰＤＵの場合は、ＨＡＲＱ一時記憶部３５１に記憶される。ダミーＭＡＣ  ＰＤＵの場合、ＭＡＣ  ＰＤＵ識別部３５６は、ダミーデータを破棄して、ＨＡＲＱ制御部３５０に対して新規送信を依頼する。【０１１３】
そして、ＨＡＲＱ制御部３５０は、ダミーＭＡＣ  ＰＤＵと識別されたＭＡＣ  ＰＤＵに対応するＭＡＣ  ＰＤＵの送信を、端末４０に対して要求する。この要求に、ダミーＭＡＣ  ＰＤＵのシーケンス番号を含めるようにする。【０１１４】
この要求は、例えば、実施例１と同様に、ＨＡＲＱ制御部３５０がスケジューラ部３２８に端末４０の選択を指示し、スケジューラ部３２８から、上り送信制御情報作成部３２９、符号化部３３０等を介して、端末４０に上り送信制御情報が送信される。【０１１５】
端末４０では、受信無線部４０９等を介して上り制御情報が上り制御情報抽出部４１２で抽出され、ＨＡＲＱ一時記憶部４２７や、ＡＲＱ一時記憶部４２５に一時記憶されたダミーＭＡＣ  ＰＤＵがＨＡＲＱ制御部４２０やＡＲＱ制御部４２２の制御により読み出される。読み出されたＭＡＣ  ＰＤＵは送信パケット作成部４２８等を介して転送先無線基地局３１に伝送される。【０１１６】
転送先無線基地局３１は、受信無線部３１１等を経由して受信したＭＡＣ  ＰＤＵを、誤り確認部３１４において誤り確認を行う。誤りがないとき、ＨＡＲＱ制御部３５０はＡＣＫ／ＮＡＣＫ作成部３２６に「ＡＣＫ」信号の作成を指示し、符号化部３３０等を介して端末４０に送信する。また、ＨＡＲＱ制御部３５０は、受信したＭＡＣ  ＰＤＵをＨＡＲＱ一時記憶部３５１に記憶する。複数個のＭＡＣ  ＰＤＵが順番通りに並び替えられて、ＲＬＣ  ＰＤＵ作成部３６１より読み出され、ＡＲＱ一時記憶部３６０に一時記憶される。ＲＬＣ  ＰＤＵ作成部３６１は、ＡＲＱ一時記憶部３６０に記憶されたＭＡＣ  ＰＤＵからＲＬＣ  ＰＤＵを作成し、ＲＬＣ  ＳＤＵ作成部３６２は、複数のＲＬＣ  ＰＤＵからＲＬＣ  ＳＤＵを作成する。作成されたＲＬＣ  ＳＤＵは転送制御部３２０からＭＭＥ／ＵＰＥ１１に転送される。【０１１７】
一方、誤り確認部３１４において、受信したＭＡＣ  ＰＤＵに誤りがあると判断したとき、ＨＡＲＱ制御部３５０は、ＡＣＫ／ＮＡＣＫ作成部３２６に「ＮＡＣＫ」信号の作成を指示する。作成された「ＮＡＣＫ」信号は符号化部３３０等を介して端末４０に送信される。誤りを含むＭＡＣ  ＰＤＵは、ＨＡＲＱ制御部３５０により、ＨＡＲＱ一時記憶部３５１に記憶される。再送されたＭＡＣ  ＰＤＵに対して誤り確認部３１４で誤り確認を行い、誤りがないと上述した処理を行う。【０１１８】
図３３は、本実施例２における処理のシーケンス例を示す図である。簡単に説明すると、転送元無線基地局（ＢＴＳ１）２１は、ハンドオーバを検知すると（Ｓ１０）、端末４０から受信したＭＡＣ  ＰＤＵが未送達（「未受信」と「再送中」の双方を含む）ＭＡＣ  ＰＤＵか、送達済みＭＡＣ  ＰＤＵか、を検出する（Ｓ３０）。【０１１９】
そして、転送元無線基地局２１は、送達済みＭＡＣ  ＰＤＵに対して、通常のＭＡＣ  ＰＤＵを作成し（Ｓ１２）、未送達のＭＡＣ  ＰＤＵに対してダミーＭＡＣ  ＰＤＵを作成する（Ｓ３１）。【０１２０】
その後、転送元無線基地局２１は、ダミーＭＡＣ  ＰＤＵを含む複数個のＭＡＣ  ＰＤＵからダミーＲＬＣ  ＰＤＵを作成するとともに、通常のＭＡＣ  ＰＤＵから通常のＲＬＣ  ＰＤＵを作成する（Ｓ３２）。【０１２１】
次いで、転送元無線基地局２１は、ダミーＲＬＣ  ＰＤＵと通常のＲＬＣ  ＰＤＵから転送ＲＬＣ  ＳＤＵ（ダミーＲＬＣ  ＳＤＵ）を作成し（Ｓ３３）、ハンドオーバが実施される（Ｓ１６）。【０１２２】
次いで、転送元無線基地局２１は、ダミー情報を通知する（Ｓ３４）。ダミー情報には、転送されるＲＬＣ  ＳＤＵを構成するＭＡＣ  ＰＤＵにダミーＭＡＣ  ＰＤＵが含まれているか等の情報が含まれる。勿論、ＲＬＣ  ＳＤＵ転送（Ｓ３５）の際に、ヘッダにこのダミー情報を付加してもよい。【０１２３】
転送先無線基地局３１は、再送対象のＭＡＣ  ＰＤＵを確認し（Ｓ３６）、端末４０に対して当該ＭＡＣ  ＰＤＵの伝送を要求する（Ｓ２０）。端末４０は再送対象のＭＡＣ  ＰＤＵを確認し（Ｓ３７）、そのＭＡＣ  ＰＤＵを転送先無線基地局３１に伝送する（Ｓ２２）。【０１２４】
このように、本実施例２において、ハンドオーバ先の転送先無線基地局３１では、ダミーＭＡＣ  ＰＤＵのみ端末４０から再送される。例えば、図１２に示す例では、シーケンス番号「１２」のＭＡＣ  ＰＤＵのみ再送される。シーケンス番号「９」から「１６」までのＭＡＣ  ＰＣＵを送信する場合（送達済みのＭＡＣ  ＰＤＵを含めて送信する場合）と比較して、伝送時間も短くなり、スループットが改善する。
【実施例３】
【０１２５】
次に、実施例３について説明する。全体システムは、実施例１や実施例２と同様である（図２３参照）。【０１２６】
本実施例３では、「再送中」のＭＡＣ  ＰＤＵを、誤りを含む再送中のデータにより構成し（図１７参照、ダミーＭＡＣ  ＰＤＵＩＩ型）、「未受信」のＭＡＣ  ＰＤＵを特定パターンにより構成する（図１８参照、ダミーＭＡＣ  ＰＤＵＩＩＩ型）。更に、本実施例３では、転送元無線基地局２１において再送回数や送信方法（変調方式や符号化方式、パリティのみで伝送するか、パリティとデータとで伝送するか等を示すＲＶ情報）等を示す再送情報を作成して、転送ＲＬＣ  ＳＤＵに付加等して転送先無線基地局３１に転送する。転送先無線基地局３１は、再送情報に基づいて、端末４０に対して再送を要求して、ダミーＭＡＣ  ＰＤＵに対応するＭＡＣ  ＰＤＵを受信して、再送を継続する。【０１２７】
図３４は転送元無線基地局２１の構成例、図３５は転送先無線基地局３１の構成例、図３６はダミーＲＬＣ  ＰＤＵの構成例、図３７は処理シーケンス例、を夫々示す。【０１２８】
図３４に示す転送元無線基地局２１の構成は、実施例２の転送元無線基地局２１の構成（図２９参照）と略同一である。ＨＡＲＱ制御部２５１は再送情報を作成して、ダミーＭＡＣ  ＰＤＵ情報作成部２６０に出力する点が追加される。【０１２９】
図３５に示す転送先無線基地局３１の構成も、実施例２の転送先無線基地局３１の構成（図３０参照）と略同一で、ＨＡＲＱ制御部３５０は再送情報に基づいて、再送を制御する点が追加される。尚、本実施例３において端末４０の構成例は、実施例２と同様である（図３１参照）。【０１３０】
次に、適宜図３３を参照しながら、本実施例３における動作について説明する。【０１３１】
端末４０は、ＭＡＣ  ＰＤＵを順次送信パケットとして転送元無線基地局２１に送信する。転送元無線基地局２１は、受信無線部２１１等を介して復号され誤り確認部２１４でＭＡＣ  ＰＤＵの誤りを確認する。受信したＭＡＣ  ＰＤＵはＨＡＲＱ一時記憶部２５０に記憶される。【０１３２】
ＨＡＲＱ制御部２５１は、実施例１等と同様に、「誤りあり」のとき受信したＭＡＣ  ＰＤＵは「再送中」のＭＡＣ  ＰＤＵと判断し、「誤りなし」のとき「送達済み」のＭＡＣ  ＰＤＵと判断し、「誤りあり」も「誤りなし」も双方判断されないとき、「未受信」のＭＡＣ  ＰＤＵと判断する（Ｓ４０）。【０１３３】
また、ＨＡＲＱ制御部２５１は、再送回数や、データ長、前回送信時の送信方法を示す再送情報とを作成し、ダミーＭＡＣ  ＰＤＵ情報作成部２６０に通知する。【０１３４】
ダミーＭＡＣ  ＰＤＵ作成部２６１は、「再送中」のＭＡＣ  ＰＤＵに対し、ＨＡＲＱ一時記憶部２５０に記憶している再送中のデータを用いてダミーＭＡＣ  ＰＤＵを作成し（Ｓ４１）、ダミーＲＬＣ  ＰＤＵ作成部２６３に出力する。【０１３５】
また、ダミーＭＡＣ  ＰＤＵ作成部２６１は、「未受信」のＭＡＣ  ＰＤＵに対し、特定パターン（すべて「０」や「１」等）を用いてダミーＭＡＣ  ＰＤＵを作成し（Ｓ４２）、ダミーＲＬＣ  ＰＤＵ作成部２６３に出力する。【０１３６】
「送達済み」のＭＡＣ  ＰＤＵに対しては、ＭＡＣ  ＰＤＵ作成部２５３で通常のＭＡＣ  ＰＤＵが作成される（Ｓ１２）。【０１３７】
ダミーＭＡＣ  ＰＤＵ情報作成部２６０は、ダミーＭＡＣ  ＰＤＵのシーケンス番号等を示すダミーＭＡＣ  ＰＤＵ情報を作成し、ダミーＲＬＣ  ＰＤＵ情報作成部２６２に出力するとともに、ＨＡＲＱ制御部２５１から通知された再送情報もダミーＲＬＣ  ＰＤＵ情報作成部２６２に出力する。【０１３８】
ダミーＲＬＣ  ＰＤＵ作成部２６３は、ダミーＭＡＣ  ＰＤＵ作成部２６１からのダミーＭＡＣ  ＰＤＵと、ＡＲＱ一時記憶部２６６からのＭＡＣ  ＰＤＵと、をまとめて転送ＲＬＣ  ＰＤＵ（実施例２と同様に、ダミーＭＡＣ  ＰＤＵを含むＲＬＣ  ＰＤＵ）を作成する（Ｓ４３）。作成された転送ＲＬＣ  ＰＤＵは、転送ＲＬＣ  ＳＤＵ作成部２６５に出力される。図３６は、転送ＲＬＣ  ＰＤＵの構成例を示す図である。【０１３９】
転送ＲＬＣ  ＳＤＵ作成部２６５は、ＲＬＣ  ＰＤＵ作成部２５５からのＲＬＣ  ＰＤＵと、ダミーＲＬＣ  ＰＤＵ作成部２６３からの転送ＲＬＣ  ＰＤＵと、をまとめて転送ＲＬＣ  ＳＤＵを作成する（Ｓ４４）。転送ＲＬＣ  ＳＤＵは、転送制御部２２２に出力される。【０１４０】
再送情報等の情報は、ダミーＲＬＣ  ＰＤＵ情報作成部２６２、転送ＲＬＣ  ＳＤＵ情報作成部２６４を経由して転送制御部２２２に出力される。【０１４１】
転送制御部２２２では、転送ＲＬＣ  ＳＤＵに再送情報を含む情報をヘッダに付加して、ハンドオーバ先（転送先）無線基地局３１に転送する（Ｓ４６）。勿論、実施例２等と同様に、再送情報を含む情報を制御信号として別途送信するようにしてもよい（Ｓ３４、Ｓ４５）。【０１４２】
転送先無線基地局３１は、転送ＲＬＣ  ＳＤＵを転送制御部３２０で受信し、ＲＬＣ  ＳＤＵ識別部３５２で一旦保持する。また、転送ＲＬＣ  ＳＤＵ識別情報抽出部３５３は、ヘッダに付加された、或いは制御信号として送信された再送情報等を抽出する。【０１４３】
ＲＬＣ  ＳＤＵ識別部３５２では、ヘッダに付加等された情報から受信したＲＬＣ  ＳＤＵが転送ＲＬＣ  ＳＤＵか否かを識別し、転送ＲＬＣ  ＳＤＵの場合は当該ＲＬＣ  ＳＤＵをＲＬＣ  ＰＤＵ識別部３５４に出力し、そうではない場合ＲＬＣ  ＰＤＵをＨＡＲＱ一時記憶部３５１に出力する。【０１４４】
ＲＬＣ  ＰＤＵ識別部３５４は、転送ＲＬＣ  ＳＤＵを分割して、各ＲＬＣ  ＰＤＵは転送ＲＬＣ  ＰＤＵか否かを識別する。転送ＲＬＣ  ＰＤＵの場合は、ＭＡＣ  ＰＤＵ識別部３５６に出力し、そうではない場合ＨＡＲＱ一時記憶部３５１に出力する。【０１４５】
ＭＡＣ  ＰＤＵ識別部３５６は、転送ＲＬＣ  ＰＤＵを分割し、各ＭＡＣ  ＰＤＵが、「送達済み」ＭＡＣ  ＰＤＵか、「再送中」ＭＡＣ  ＰＤＵか、「未受信」ＭＡＣ  ＰＤＵかを識別する。識別は、ダミーＭＡＣ  ＰＤＵ識別情報抽出部３５７で抽出された識別情報から行う。【０１４６】
「再送中」のＭＡＣ  ＰＤＵに対し、ＨＡＲＱ制御部３５０は再送情報に基づいて、端末４０に対して再送を要求する。【０１４７】
例えば、再送回数が「１」回目のとき、データ（ＭＡＣ  ＰＤＵ）とパリティとを端末４０から送信するように要求したり、「２」回目のとき、パリティのみ端末４０から送信するように要求する等、再送回数に応じた要求を行ったり、再送回数に制限を設けてそれ以上のときは再送の要求を行わない、などがある。【０１４８】
「未受信」のＭＡＣ  ＰＤＵに対し、ＨＡＲＱ制御部３５０は、端末４０に当該シーケンス番号のＭＡＣ  ＰＤＵを新規送信してもらうように要求する。以下の処理は実施例２と同様に処理を行う。【０１４９】
本実施例３においても、ハンドオーバ先の転送先無線基地局３１では、ダミーＭＡＣ  ＰＤＵのみ端末４０から再送が行われるため、実施例２と同様に、伝送時間も短くなり、スループットを改善することができる。【０１５０】
尚、実施例１から実施例３において、転送ＲＬＣ  ＳＤＵや転送パケットには、送達済みのデータパケットは含まれず、すべてダミーパケットとしてもよい。この場合も、実施例１から実施例３と同様に実施でき、同様の作用効果を奏する。
【実施例４】
【０１５１】
実施例２及び実施例３において、ダミーＭＡＣ  ＰＤＵの識別はダミーパターンやヘッダに付加等された情報に基づいて行うものとして説明した。本実施例４では、ダミーＭＡＣ  ＰＤＵを識別するための識別子（例えば、ビットで表現される）をダミーＭＡＣ  ＰＤＵの先頭（図３８参照）、又は末尾に付加する（図３９参照）。転送先無線基地局３１では、この識別子により、ＭＡＣ  ＰＤＵはダミーＭＡＣ  ＰＤＵか否か、ダミーＭＡＣ  ＰＤＵの場合に特定パターンのダミーＭＡＣ  ＰＤＵか、再送中のデータを用いたダミーＭＡＣ  ＰＤＵか、を簡易に識別することができる。【０１５２】
識別子は、転送元無線基地局２１のダミーＭＡＣ  ＰＤＵ作成部２６１又はダミーＭＡＣ  ＰＤＵ情報作成部２６０で作成される。ＨＡＲＱ制御部２５１は、受信したＭＡＣ  ＰＤＵの種別を識別しているため、その情報に基づいて、ダミーＭＡＣ  ＰＤＵ情報作成部２６０等で作成すればよい。【０１５３】
この識別子を付加することで、転送先無線基地局３１では、識別子から単純にダミーＭＡＣ  ＰＤＵを識別することができるので、ダミーＭＡＣ  ＰＣＵを簡易にかつ容易に識別することができる。
【実施例５】
【０１５４】
次に、実施例５について説明する。実施例５は、無線基地局から端末への下り方向における例である。再送制御中にハンドオーバが実施される点は実施例１等と同様である。【０１５５】
図２３は本実施例５におけるＥ３Ｇシステムのシステム構成例、図２６は本実施例５におけるＭＭＥ／ＵＰＥ１１の構成例、図４０は転送元無線基地局２１の構成例、図４１は転送先無線基地局３１の構成例、図４２は端末４０の構成例、図４２は全体処理のシーケンス例、を夫々示す図である。【０１５６】
図２３に示すＥ３Ｇシステムの説明は実施例１で説明したので説明は省略する。図４０に示すように転送元無線基地局２１には、受信無線部２１１と、復調部２１２と、復号部２１３と、受信電界強度情報抽出部２１５と、ハンドオーバ制御部２１６と、再送制御部２１８と、一時記憶部２１９と、パケット作成部２２０と、転送パケット作成部２２１と、転送制御部２２２と、ダミーパケット作成部２２３と、ダミーパケット情報作成部２２４と、転送パケット情報作成部２２５と、スケジューラ部２２８と、符号化部２３０と、変調部２３１と、送信無線部２３２と、ＡＣＫ／ＮＡＣＫ抽出部２７０と、下り送信制御情報作成部２７１とを備える。実施例１等の転送元無線基地局２１と同一構成部分には同一符号を付している。【０１５７】
図４１に示すように、転送先無線基地局３１は、受信無線部３１１と、復調部３１２と、復号部３１３と、ハンドオーバ制御部３１６と、スケジューラ部３２８と、符号化部３３０と、変調部３３１と、送信無線部３３２と、ＡＣＫ／ＮＡＣＫ抽出部３７０と、再送制御部３７１と、転送制御部３７２と、一時記憶部３７７と、下り送信制御情報作成部３７９と、転送パケット受信部３８０と、転送パケット識別情報抽出部３８１と、ダミーパケット識別部３８２と、ダミーパケット識別情報抽出部３８３と、送信パケット作成部３８４とを備える。実施例１等の転送先無線基地局３１と同一構成部には同一符号を付している。【０１５８】
図４２に示すように、端末４０は、符号化部４０３と、変調４０４と、送信無線部４０５と、受信無線部４０９と、復調部４１０と、復号部４１１と、下り送信制御情報抽出部４３１と、誤り確認部４３２と、一時記憶部４３３と、再送制御部４３４と、ＡＣＫ／ＮＡＣＫ作成部４３５とを備える。【０１５９】
次に動作について説明する。まず、上位装置であるＭＭＥ／ＵＰＥ１１のＲＯＨＣ部１２１はＩＰヘッダを圧縮して、暗号化部１２２で暗号化を施し、ＰＤＣＰ  ＰＤＵ作成部１２３においてＰＤＣＰ  ＰＤＵ情報（例えば、シーケンス番号）、データ長、ＣＲＣなどをヘッダとして暗号化されたデータに付加し、転送パケットを作成する。作成された転送パケットは、転送元無線基地局２１に転送される。【０１６０】
転送元無線基地局２１は、転送パケットを、転送制御部２２２で受信して、一時記憶部２１９に出力する。パケット作成部２２０は、一時記憶部２１９に記憶された転送パケットを読み出して、転送パケットを分割する等により送信パケットを作成する。作成された送信パケットは、符号化部２３０で符号化され、変調部２３１で変調されて、送信無線部２３２により所定の無線周波数で端末４０に伝送される。尚、送信パケットは一時記憶部２１９で一時記憶される。【０１６１】
端末４０は、送信パケットを、受信無線部４０９で受信し、復調部４１０で復調し、復号部４１１で復号する。復号されたパケットは、誤り確認部４３２で、ＣＲＣを用いる等して誤りを確認し、その結果を再送制御部４３４に通知する。【０１６２】
再送制御部４３４では、復号されたパケットに誤りがないと、「ＡＣＫ」信号の生成をＡＣＫ／ＮＡＣＫ作成部４３５に指示し、誤りがあると「ＮＡＣＫ」信号の生成をＡＣＫ／ＮＡＣＫ作成部４３５に指示する。作成された「ＡＣＫ」信号又は「ＮＡＣＫ」信号は、符号化部４０３、変調部４０４、送信無線部４０５を介して、転送元無線基地局２１に伝送される。【０１６３】
転送元無線基地局２１は、端末４０から送信された「ＡＣＫ」信号又は「ＮＡＣＫ」信号を、受信無線部２１１、復調部２１２、復号部２１３を介して変調や復号等を行う。復号された「ＡＣＫ」信号等は、ＡＣＫ／ＮＡＣＫ抽出部２７０に出力され、受信した信号が「ＡＣＫ」信号か、「ＮＡＣＫ」信号か、を抽出し、その結果を再送制御部２１８に出力する。尚、転送元無線基地局２１や端末４０等の符号化、変調の方式は事前に通知された送信制御情報に基づいて行われる。【０１６４】
再送制御部２１８は、「ＡＣＫ」信号を受信したとき、一時記憶部２１９に記憶した送信パケットを消去し、「ＮＡＣＫ」信号を受信したとき、下り送信制御情報作成部２７１に対して送信方法（変調、符号化方式等）を変更して送信制御情報を作成するように指示するとともに、スケジューラ部２２８に対して端末４０に送信するよう指示する。【０１６５】
再送対象のパケットは、一時記憶部２１９に記憶されているため、パケット作成部２２０は、パケットを一時記憶部２１９から読み出して、再送対象の再送パケットを作成して、符号化部２３０等を介して端末４０に伝送する。これにより、転送元無線基地局２１から端末４０に対して送信パケットの再送が行われる。【０１６６】
このような一連の動作中に、転送元無線基地局２１から転送先無線基地局３１へのハンドオーバが行われた場合について考える。【０１６７】
ハンドオーバ制御部２１６は、受信電界強度情報抽出部２１５からの受信電界強度情報から端末４０のハンドオーバの発生を検出すると、再送制御部２１８や、ダミーパケット作成部２２３等を動作させるように指示する。【０１６８】
転送元無線基地局２１では、端末４０に送信した送信パケットの送達確認が行われないと、上位装置であるＭＭＥ／ＵＰＥ１１への転送パケットの送達確認は行われない。したがって、端末４０からの送信パケットが再送中や未送信のとき、転送パケットの送達確認は行われないことになる。その結果、「再送中」や「未送信」の送信パケット（以下、「未送達」の送信パケット）は、残留データとして、ハンドオーバ元である転送元無線基地局２１に残ってしまう。かかる残留データは、ハンドオーバ先の転送先無線基地局３１に本来転送されるべきデータである。残留データを転送させることで、ハンドオーバ後に継続して転送先無線基地局３１から端末４０にデータの伝送が行われる。【０１６９】
一方、送達確認がなされた送信パケットは、転送元無線基地局２１の再送制御部２１８は一時記憶部２１９から削除する。この結果、送達確認済みの送信パケットは転送元無線基地局２１に存在しなくなる。一方、ハンドオーバ先の転送先無線基地局３１では、転送元無線基地局２１が送信した送信パケットの送達確認はなされていない。よって、転送先無線基地局３１では、ＭＭＥ／ＵＰＥ１１に送達確認済みの送信パケットの再送を要求して、転送元無線基地局２１から端末４０に伝送された送信パケットを、再度、転送先無線基地局３１から端末４０に伝送する。【０１７０】
そこで、本実施例５では、送達確認がなされた送信パケットについてはダミーデータにより送信パケットを作成するとともに送達確認済みであることを示す情報を付加して、ハンドオーバ元の転送元無線基地局２１から、ハンドオーバ先の転送先無線基地局３１に転送する。転送先無線基地局３１では、送信パケットの送達確認を行うことができるため、送信パケットを端末４０に伝送することもなく、伝送時間を削減し、スループットを向上させることができる。【０１７１】
尚、「未送達」の送信パケットも、「未送信」のデータや「再送中」のデータを用い、当該データをダミーデータとして送信パケットを作成し、転送先無線基地局３１に転送する。「未送達」を示す情報も付加して転送する（或いは、実施例１等と同様に別途制御信号として転送してもよい）。「未送達」の送信パケットに含まれる「未送信」のデータ等を用いて、転送先無線基地局３１から端末４０にデータを送信することができる。【０１７２】
このダミーデータによる送信パケットの作成等は以下のように作成する。すなわち、転送元無線基地局２１の再送制御部２１８は、ＡＣＫ／ＮＡＣＫ抽出部２７０からの「ＡＣＫ」信号又はそれ以外の信号により、夫々「送達済み」又は「未送達」のダミーパケットを作成する。【０１７３】
本来なら、「未送達」のダミーパケットは、「再送中」のダミーパケットと、「未送信」のダミーパケットに分けて作成すべきであるが、本実施例６では、「再送中」と「未送信」とを「未送達」として取り扱うこととし、処理を早くしている。【０１７４】
再送制御部２１８は、「ＡＣＫ」のとき、送達確認がなされた送信パケットのため、ダミーパケット作成部２２３とダミーパケット情報作成部２２４に「送達済み」のダミーパケットの作成を指示する。【０１７５】
ダミーパケット作成部２２３では、例えば、図１９に示すように、すべて「０」やすべて「１」などと特定パターンのデータによりダミーパケットを作成する。ダミーパケット情報作成部２２４では、特定パターンの情報や、送達確認済みである等を示すダミーパケット情報を作成する。【０１７６】
転送パケット作成部２２１は、ダミーパケットを複数まとめる等して転送パケットを作成する。転送パケット情報作成部２２５は、ダミーパケット情報作成部２２４からのダミーパケット情報から、転送パケットに「送達済み」のダミーパケットが含まれる等の情報を付加する等により、転送パケット情報を作成する。【０１７７】
転送制御部２２２は、転送パケット作成部２２１からの転送パケットに、転送パケット情報作成部２２５からの転送パケット情報をヘッダとして付加して、転送先無線基地局３１に転送する。転送パケット情報は、実施例１等と同様に、別途制御信号として転送するようにしてもよい。【０１７８】
一方、再送制御部２１８は、ＡＣＫ／ＮＡＣＫ抽出部２７０がそれ以外の信号を抽出したとき、「未送達」のダミーパケットの作成を、ダミーパケット作成部２２３とダミーパケット情報作成部２２４に指示する。「未送達」のダミーパケットは、例えば、図２１や図２２に示すように、転送元無線基地局２１で送信されずに保持している「未送信」の実データや、再送のために保持している「再送中」の実データを用いたダミーパケットとする。【０１７９】
ダミーパケット作成部２２３では、「未送達」のデータ（実際には、「再送中」や「未送信」のデータ）を一時記憶部２１９から読み出して、ダミーデータとしてダミーパケットを作成する。ダミーパケット情報作成部２２４では、ダミーパケットの種類（「未送達」のダミーパケットであることを示す情報）や、送達未確認の情報、更に、ダミーパケットのシーケンス番号、ダミービットのパターン、ダミービット長を示す情報等をダミーパケット情報として作成する。以後は、「送達済み」の場合と同様である。【０１８０】
転送先無線基地局３１は、転送元無線基地局２１から転送されたダミーパケットを転送制御部３７２で受信して、転送パケット受信部３８０で一旦保持する。【０１８１】
転送パケット識別情報抽出部３８１は、転送パケットのヘッダに付加された（又は制御信号として転送された）転送パケット情報を抽出して、転送元無線基地局２１から転送された転送パケットか、上位装置であるＭＭＥ／ＵＰＥ１１から転送された転送パケットかを識別する。転送パケット受信部３８０は、転送パケット識別情報抽出部３８１において転送元無線基地局２１からの転送パケットと識別したとき、保持した転送パケットをダミーパケット識別部３８２に出力する。【０１８２】
ダミーパケット識別部３８２は、ダミーパケット識別情報抽出部３８３で抽出されたダミーパケット識別情報を用いて、ダミーパケットである転送パケットが「送達済み」か、「未送達」か、を識別する。【０１８３】
ダミーパケット識別部３８２は、「送達済み」のダミーパケットのとき当該ダミーパケットを破棄し、「未送達」のとき当該ダミーパケットのデータを一時記憶部３７７に記憶する。また、ダミーパケット識別部３８２は、「未送達」のダミーパケットのとき、ダミーパケット識別情報抽出部３８３を介して再送制御部３７１に、対応するパケットの新規送信を依頼する。【０１８４】
再送制御部３７１は、「未送達」のダミーパケットに対して、対応するパケットの新規送信をスケジューラ部３２８に指示する。スケジューラ部３２８は、一時記憶部３７７から対応する「未送達」のダミーパケットのデータを読出して、送信パケット作成部３８４で送信パケットを作成させる。作成された送信パケットは、下り送信制御情報作成部３７９により作成された送信制御情報とともに、符号化部３８４等を介して、端末４０に送信される。【０１８５】
端末４０では、送信パケットの誤りを誤り確認部４３２で確認し、再送制御部４３４の制御により、「ＡＣＫ」信号又は「ＮＡＣＫ」信号が作成され、転送先無線基地局３１に伝送される。【０１８６】
転送先無線基地局３１の再送制御部３７１は、「ＡＣＫ」を受信したとき、一時記憶部３７７に記憶された「未送達」のダミーパケットのデータを削除する。一方、再送制御部３７１は、「ＮＡＣＫ」を受信したとき、スケジューラ部３２８等に対して、一時記憶部３７７に記憶された「未送達」のダミーパケットのデータを再送するよう制御する。【０１８７】
図４３は、本実施例５における処理のシーケンス例である。重複した説明になるため、簡単に説明すると、まず、転送元無線基地局（ＢＴＳ１）２１ではハンドオーバを検知すると（Ｓ５０）、転送元無線基地局２１から端末４０に転送された転送パケットの種別（「送達済み」か「未送達」）を検出し（Ｓ５１）、「送達済み」のパケットに対しては、特定パターンによるダミーパケット、「未送達」のパケットには、実データをダミーデータとするダミーパケット、を夫々作成する（Ｓ５２〜Ｓ５４）。【０１８８】
その後、転送元無線基地局２１から転送先無線基地局（ＢＴＳ２）３１にハンドオーバが実施される（Ｓ５５）。転送元無線基地局２１は、転送先無線基地局３１に、ダミーパケットの種別や、送達確認済みか送達未確認かの情報等を示すダミー情報を通知して（Ｓ５６）、ダミーパケットを転送する（Ｓ５７）。上述したように、ダミー情報を転送パケットのヘッダに付加して転送してもよい。【０１８９】
転送先無線基地局３１は、送信対象のパケットを確認し（Ｓ５８、Ｓ６０）、新規送信を行い（Ｓ６１）、再送が必要な場合は再送する（Ｓ５９）。【０１９０】
このように、本実施例５では、転送元無線基地局２１から端末４０に送信されて送達確認がなされた送信パケットは、転送先無線基地局３１から端末４０に送信されることがないため、かかる送信パケットを転送先無線基地局３１から端末４０に送信する場合と比較して、伝送時間を短くすることができ、スループットの向上を図ることができる。
【実施例６】
【０１９１】
次に、実施例６について説明する。本実施例６は、パケットを具体的に、ＭＡＣ  ＰＤＵや、ＲＬＣ  ＰＤＵ、ＲＬＣ  ＳＤＵとした例である。ダミーパケットの種類は、実施例５と同様に「送達済み」と「未送達」の２種類である。【０１９２】
図２３は全体のシステム構成例、図２６は上位装置であるＭＭＥ／ＵＰＥ１１の構成例、図４４は転送元無線基地局２１の構成例、図４５は転送先無線基地局３１の構成例、図４６はダミーＲＬＣ  ＰＤＵの例、図４７は処理シーケンスの例、図４８はダミーＲＬＣ  ＰＤＵの例、図５６は端末４０の構成例、を夫々示す。【０１９３】
図２３に示すＥ３Ｇシステムの構成について実施例１等で説明したため、その説明は省略する。図４４に示すように転送元無線基地局２１の構成は、実施例５の転送元無線基地局２１（図４０参照）に対して、新たに、ＨＡＲＱ制御部２７２と、ＡＲＱ制御部２７３と、ＡＲＱ一時記憶部２７４と、ダミーＭＡＣ  ＰＤＵ作成部２７５と、ダミーＭＡＣ  ＰＤＵ情報作成部２７６と、転送ＲＬＣ  ＰＤＵ作成部２７７と、転送ＲＬＣ  ＰＤＵ情報作成部２７８と、転送ＲＬＣ  ＳＤＵ作成部２７９と、転送ＲＬＣ  ＳＤＵ情報作成部２８０と、ＲＬＣ  ＳＤＵ（ＰＤＣＰ  ＰＤＵ）作成部２８１と、ＲＬＣ  ＰＤＵ作成部２８２と、ＭＡＣ  ＰＤＵ作成部２８３と、ＨＡＲＱ一時記憶部２８４と、送信パケット作成部２８４を備える。【０１９４】
図４５に示す転送先無線基地局３１は、実施例５の転送先無線基地局３１（図４１参照）と比較して、新たに、ＨＡＲＱ制御部３９０と、ＨＡＲＱ一時記憶部３９１と、ＲＬＣ  ＳＤＵ識別部３９２と、転送ＲＬＣ  ＳＤＵ識別情報抽出部３９３と、ＲＬＣ  ＰＤＵ識別部３９４と、転送ＲＬＣ  ＰＤＵ識別情報抽出部３９５と、ＭＡＣ  ＰＤＵ識別部３９６と、ダミーＭＡＣ  ＰＤＵ識別情報抽出部３９７と、ＭＡＣ  ＰＤＵ作成部３９８と、ＡＲＱ制御部４０１と、ＡＲＱ一時記憶部４０２と、ＲＬＣ  ＳＤＵ作成部４０３と、ＲＬＣ  ＰＤＵ作成部４０４と、誤り確認部４０５を備える。【０１９５】
図５６に示す端末４０は、実施例５の端末４０（図４２参照）を比較して、新たに、ＨＡＲＱ一時記憶部４４０と、ＨＡＲＱ制御部４４１を備える。【０１９６】
次に、本実施例６の動作について説明する。まず、ＭＭＥ／ＵＰＥ１１において、実施例５と同様に転送パケットが構成される。転送パケットは、ＰＤＣＰ  ＰＤＵ（ＲＬＣ  ＳＤＵ）の形式である。【０１９７】
転送元無線基地局２１は、転送パケットであるＰＤＣＰ  ＰＤＵをＲＬＣ  ＳＤＵ受信部２８１で受信して、ＲＬＣ  ＰＤＵ作成部２８２において、ＲＬＣ  ＳＤＵを分割して、複数のＲＬＣ  ＰＤＵを作成する。ＲＬＣ  ＰＤＵ作成部２８２は、作成した各ＲＬＣ  ＰＤＵをＡＲＱ一時記憶部２７４で一時記憶させるともに、ＭＡＣ  ＰＤＵ作成部２８３に出力する。【０１９８】
ＭＡＣ  ＰＤＵ作成部２８３は、ＲＬＣ  ＰＤＵを分割して、複数のＭＡＣ  ＰＤＵを作成し、各ＭＡＣ  ＰＤＵをＨＡＲＱ一時記憶部２８４に出力し、記憶させる。【０１９９】
スケジューラ部２２８は、端末４０に対する送信を許可したとき、送信パケット作成部２８５に対して送信パケット（一つ、又は複数のＭＡＣ  ＰＤＵで構成されたパケット）の作成を指示するとともに、下り送信制御情報作成部２７１に指定した送信方法（変調方式や、符号化方法等）を示す送信制御情報の作成を指示する。【０２００】
送信パケット作成部２８５は、ＨＡＲＱ一時記憶部２７４に記憶されたＭＡＣ  ＰＤＵを読み出して、ヘッダやＣＲＣ、シーケンス番号（ＳＮ）を付加して、送信パケットを作成する。送信パケット作成部２８５は、送信パケットを符号化部２８５に出力するとともに、ＨＡＲＱ一時記憶部２８４に記憶する。【０２０１】
送信パケットは、下り送信制御情報作製部２７１からの下り送信制御情報が付加されて、符号化部２３０等で符号化等が行われ、転送元無線基地局２１から端末４０に送信パケットが伝送される。【０２０２】
端末４０は、送信パケットを受信して、受信無線部４０９等を介して、誤り確認部４３２において誤り確認を行う。その結果はＨＡＲＱ制御部４４１に通知され、ＡＣＫ／ＮＡＣＫ作成部４３５から、誤りあり又はなしに応じて、それぞれ「ＮＡＣＫ」信号又は「ＡＣＫ」信号が作成される。作成された「ＮＡＣＫ」又は「ＡＣＫ」の各信号は、転送元無線基地局２１に伝送する。尚、ＨＡＲＱ制御部４４１は、誤りを含む送信パケットをＨＡＲＱ一時記憶部４４０に記憶する。【０２０３】
転送元無線基地局２１は、受信無線部２１１等を介して端末４０から送信された「ＡＣＫ」信号又は「ＮＡＣＫ」信号をＡＣＫ／ＮＡＣＫ抽出部２７０で抽出する。その結果はＨＡＲＱ制御部２７２に通知される。【０２０４】
ＨＡＲＱ制御部２７２は、「ＡＣＫ」信号を受信したとき、ＨＡＲＱ一時記憶部２７４に記憶した送信パケットのデータを消去する。【０２０５】
一方、ＨＡＲＱ制御部２７２は、「ＮＡＣＫ」信号を受信したとき、送信方法等を変更して端末４０に対象の送信パケットを送信するようスケジューラ部２２８に指示する。そして、スケジューラ部２２８からの指示により、送信パケットが端末４０に再送される。尚、ＲＬＣ  ＰＤＵを構成するすべてのＭＡＣ  ＰＤＵの送達確認がとれたとき（「ＡＣＫ」信号を受信したとき）、ＨＡＲＱ制御部２７２は、ＡＲＱ制御部２７３を介して、ＡＲＱ一時記憶部２７４に記憶されたＲＬＣ  ＰＤＵを消去するよう制御する。【０２０６】
この一連の動作中に、端末４０が転送元無線基地局２１から転送先無線基地局３１にハンドオーバを実施した場合について以下に説明する。【０２０７】
実施例５と同様に、ハンドオーバ制御部２１６は、ハンドオーバの発生を検知すると、ＨＡＲＱ制御部２７２等に対して動作開始を指示する。ＨＡＲＱ制御部２７２は、ＡＣＫ／ＮＡＣＫ抽出部２７０において「ＡＣＫ」信号を抽出したとき、特定パターン（例えば、すべて「０」や「１」等）のダミーデータを含むダミーＭＡＣ  ＰＤＵＩＶ型（図１９参照）の作成を、ダミーＭＡＣ  ＰＤＵ作成部２７５に指示する（図４４中、「新規送信情報」として示されている）。送達確認済みのデータは、すでにＨＡＲＱ一時記憶部２８４から削除されているため、特定パターンのデータを用いている。【０２０８】
ダミーＭＡＣ  ＰＤＵ作成部２７５では、この指示により、かかるダミーＭＡＣ  ＰＤＵＩＶ型のＭＡＣ  ＰＤＵを作成する。また、ダミーＭＡＣ  ＰＣＵ情報作成部２７６では、ＭＡＣ  ＰＤＵがダミーＭＡＣ  ＰＤＵＩＶ型であることや、ＭＡＣ  ＰＤＵのＳＮ番号等を示すＭＡＣ  ＰＤＵ情報と、「送達確認済み」であることを示す送達情報とを作成する。これらをまとめて、ダミーＭＡＣ  ＰＤＵ識別情報とする。【０２０９】
転送ＲＬＣ  ＰＤＵ作成部２７７は、複数のダミーＭＡＣ  ＰＤＵからＲＬＣ  ＰＤＵを作成する。作成されたＲＬＣ  ＰＤＵはダミーＭＡＣ  ＰＤＵを含むため、実施例２等と同様に転送ＲＬＣ  ＰＤＵとしてＲＬＣ  ＰＤＵが作成される。作成されたＲＬＣ  ＰＤＵの例を図４６に示す。【０２１０】
転送ＲＬＣ  ＳＤＵ作成部２７９は、複数の転送ＲＬＣ  ＰＤＵから転送ＲＬＣ  ＳＤＵを作成する。尚、ＭＡＣ  ＰＣＵ情報や送達情報は、転送ＲＬＣ  ＰＤＵ作成部２７７や、転送ＲＬＣ  ＳＤＵ作成部２７９を経由して、各情報作成部２７８、２８０において、転送ＲＬＣ  ＰＤＵや転送ＲＬＣ  ＳＤＵであることを示す情報等が付加され、最終的に転送ＲＬＣ  ＳＤＵ情報が作成される。この転送ＲＬＣ  ＳＤＵ情報には、ダミーＭＡＣ  ＰＤＵ識別情報が含まれる。【０２１１】
転送制御部２２２は、転送ＲＬＣ  ＳＤＵに、転送ＲＬＣ  ＳＤＵ情報をヘッダとして付加して転送先無線基地局３１に転送する。或いは、別途転送ＲＬＣ  ＳＤＵ情報のみ制御信号として転送するようにしてもよい。【０２１２】
ハンドオーバ先の転送先無線基地局３１では、転送された転送ＲＬＣ  ＳＤＵを、転送制御部３７２で一旦保持する。そして、ＲＬＣ  ＳＤＵ識別部３９２では、転送ＲＬＣ  ＳＤＵ識別情報抽出部３９３で抽出した転送ＲＬＣ  ＳＤＵ情報から、受信したＲＬＣ  ＳＤＵが転送ＲＬＣ  ＳＤＵかを識別する。ＲＬＣ  ＳＤＵ識別部３９２は、受信したＲＬＣ  ＳＤＵが転送ＲＬＣ  ＳＤＵのときは当該転送ＲＬＣ  ＳＤＵをＲＬＣ  ＰＤＵ識別部３９４に出力する。【０２１３】
ＲＬＣ  ＰＤＵ識別部３９４は、転送ＲＬＣ  ＳＤＵを分割して、各ＲＬＣ  ＰＤＵについて、転送ＲＬＣ  ＰＤＵ識別情報抽出部３９５で抽出した転送ＲＬＣ  ＰＤＵ情報から、転送ＲＬＣ  ＰＤＵか否かを識別する。ＲＬＣ  ＰＤＵ識別部３９４は、転送ＲＬＣ  ＰＤＵをＭＡＣ  ＰＤＵ識別部３９６に出力する。【０２１４】
ＭＡＣ  ＰＤＵ識別部３９６は、転送ＲＬＣ  ＰＤＵを分割し、各ＭＡＣ  ＰＤＵについて、ダミーＭＡＣ  ＰＤＵ識別情報抽出部３９７で抽出したダミーＭＡＣ  ＰＤＵ情報に基づいて、ＭＡＣ  ＰＤＵが「送達済み」か、「未送達」か、を識別する。これらの識別結果は、ＨＡＲＱ制御部３９０に通知される。【０２１５】
ＭＡＣ  ＰＤＵが「送達済み」のとき、ＨＡＲＱ制御部３９０は、ＭＡＣ  ＰＤＵ識別部３９６に保持されたダミーＭＡＣ  ＰＤＵを破棄する。送達確認が転送先無線基地局３１でなされていれば問題ないからである。【０２１６】
一方、ＨＡＲＱ制御部３９０は、ＭＡＣ  ＰＤＵが「未送達」のとき、ダミーＭＡＣ  ＰＤＵを、ＭＡＣ  ＰＤＵ作成部３９８を介して、ＨＡＲＱ一時記憶部３９１に一時記憶させ、スケジューラ部３２８に端末４０に新規送信を指示する。ＨＡＲＱ一時記憶部３９１に記憶された「未送達」のダミーＭＡＣ  ＰＤＵは、送信パケット作成部３８４で送信パケットとして、端末４０に送信される。【０２１７】
端末４０は、誤り確認部４３２において誤りなく送信パケットを受信したかを判断し、「ＡＣＫ」又は「ＮＡＣＫ」を転送先無線基地局３１に伝送する。以降、誤りなく送信パケットが端末４０に伝送されるまで処理を繰り返すことになる。【０２１８】
図４７は、本実施例６の処理シーケンスの例を示す図である。本実施例６における処理をまとめたものである。重複した説明となるため、簡単に説明する。【０２１９】
ハンドオーバ元の転送元無線基地局（ＢＴＳ１）２１では、ハンドオーバを検知すると（Ｓ５０）、端末４０に伝送しているＭＡＣ  ＰＤＵが「送達済み」のＭＡＣ  ＰＤＵか「未送達」のＭＡＣ  ＰＤＵかを確認し（Ｓ６１）、「送達済み」のＭＡＣ  ＰＤＵに対してはダミーＭＡＣ  ＰＤＵＩＶ型、「未送達」のＭＡＣ  ＰＤＵに対してＶ型又はＶＩ型のダミーＭＡＣ  ＰＤＵを作成する（Ｓ６２）。そして、転送元無線基地局２１は、ダミーＭＡＣ  ＰＤＵから転送ＲＬＣ  ＰＤＵを作成し（Ｓ６４）、転送ＲＬＣ  ＰＤＵから転送ＲＬＣ  ＳＤＵを作成する（Ｓ６５）。【０２２０】
その後、ハンドオーバが実施された場合（Ｓ５４）、転送元無線基地局２１は、ダミーＭＡＣ  ＰＤＵ情報等のダミー情報を、ハンドオーバ先の転送先無線基地局３１に通知し（Ｓ６６）、転送ＲＬＣ  ＳＤＵを転送する（Ｓ６７）。勿論、上述したように、ダミー情報を転送ＲＬＣ  ＳＤＵのヘッダに付加して転送してもよい。【０２２１】
転送先無線基地局３１は、再送対象のＭＡＣ  ＰＤＵ（「未送達」のＭＡＣ  ＰＤＵ）を確認し（Ｓ６８）、当該ＭＡＣ  ＰＤＵを端末（ＵＥ１）４０に伝送する（Ｓ５８）。【０２２２】
このように、本実施例６では、送達確認済みのＭＡＣ  ＰＤＵはハンドオーバ先の転送先無線基地局３１から端末４０に伝送されないため、データの伝送時間を短くすることができ、スループットの向上を図ることができる。
【実施例７】
【０２２３】
次に実施例７について説明する。実施例６では、転送元無線基地局２１は、ＲＬＣ  ＰＤＵを構成するすべてのＭＡＣ  ＰＤＵの送達確認（「ＡＣＫ」が端末４０から返ってくること）がとれた場合に、ＡＲＱ一時記憶部２７４に記憶されたＲＬＣ  ＰＤＵを消去することとした。【０２２４】
本実施例７では、ＲＬＣ  ＰＤＵ単位で送達確認ができるまで、ＲＬＣ  ＰＤＵを構成するすべてのＭＡＣ  ＰＤＵをＡＲＱ一時記憶部２７４に記憶する。そして、本実施例７では、このＲＬＣ  ＰＤＵを用いてダミーＭＡＣ  ＰＤＵ（図２０参照、ダミーＭＡＣ  ＰＤＵＶ型）を作成し、転送先無線基地局３１に転送する。【０２２５】
具体的には、以下のように作成する。すなわち、転送元無線基地局２１の転送ＲＬＣ  ＰＤＵ作成部２７７（図４４）は、ＡＲＱ一時記憶部２７４に記憶されたＲＬＣ  ＰＤＵを用いて、ダミーＭＡＣ  ＰＤＵＶ型を含む転送ＲＬＣ  ＰＤＵを作成する。転送ＲＬＣ  ＰＤＵ作成部２７７は、ＡＲＱ一時記憶部２７４から消去されなかったＭＡＣ  ＰＤＵの実データを用いてダミーＭＡＣ  ＰＤＵを作成する。図４８は、転送ＲＬＣ  ＰＤＵの構成例を示す図である。【０２２６】
転送ＲＬＣ  ＰＤＵ情報作成部２７８は、ＭＡＣ  ＰＤＵは送達確認済みであることを示す送達情報や、ダミーＭＡＣ  ＰＤＵＶ型とそのＳＮ番号等を含むＭＡＣ  ＰＤＵ情報を作成し、更に転送ＲＬＣ  ＰＤＵであることを示す情報等を含む転送ＲＬＣ  ＰＤＵ情報を作成し、これらを、転送ＲＬＣ  ＳＤＵ作成部２７９及び転送ＲＬＣ  ＳＤＵ情報作成部２８０に出力する。以降の処理は実施例６と同様である。【０２２７】
本実施例７においても、ダミーＭＡＣ ＰＤＵを構成するデータについて実データを用いた以外は実施例６と同様のため、実施例６と同様に、スループットの向上を図ることができる。
【実施例８】
【０２２８】
次に実施例８について説明する。実施例６では、ダミーＭＡＣ  ＰＤＵの種類は、「送達確認済み」と「未送達」の２種類として説明した。本実施例８では、「未送達」について、「未送信」と「再送中」とに分けることで、「送達確認済み」と、「未送信」と、「再送中」の３種類のダミーＭＡＣ  ＰＤＵ（夫々、ＩＶ型（図１９）、ＶＩ型（図２１）、ＶＩＩ型（図２２））を作成する。「再送中」であることを示すＭＡＣ  ＰＤＵを転送元無線基地局２１から転送先無線基地局３１に転送することで、転送先無線基地局３１では再送を継続することができる。【０２２９】
図４９は転送元無線基地局２１の構成例、図５０は転送先無線基地局３１の構成例、図５１は処理シーケンスの例、図２３が全体システムの構成例、図５６が端末４０の構成例、を夫々示す。以下では実施例６と異なる部分を説明する。【０２３０】
転送元無線基地局２１のＨＡＲＱ制御部２５１は、ＡＣＫ／ＮＡＣＫ抽出部２７０からの抽出結果に基づいて、送信パケット（１つ又は複数のＭＡＣ  ＰＤＵから構成される）の状態を検出する。すなわち、ＨＡＲＱ制御部２５１は、「ＡＣＫ」が返ってくると「送達済み」、「ＮＡＣＫ」が返ってくると「再送中」、いずれも返ってこないと「未送信」、を検出する。【０２３１】
ＨＡＲＱ制御部２５１は、「再送中」のＭＡＣ  ＰＤＵをＨＡＲＱ一時記憶部２８４から読み出し、ダミーＭＡＣ  ＰＤＵＶＩＩ型の作成をダミーＭＡＣ  ＰＤＵ作成部２７５に指示する。また、ダミーＭＡＣ  ＰＤＵ情報作成部２７６では、ダミーＭＡＣ  ＰＤＵのＳＮ番号やＶＩＩ型であることや再送中であること等を示すダミー情報とともに、再送情報（再送回数やデータ長、前回送信時の送信方法（変調方法やＲＶ情報）等）を作成し、転送ＲＬＣ  ＰＤＵ情報作成部２７８を介して、転送ＲＬＣ  ＳＤＵ情報作成部２８０に出力する。尚、再送情報は、転送ＲＬＣ  ＰＤＵ情報作成部２７８や転送ＲＬＣ  ＳＤＵ情報作成部２８０で作成されてもよい。【０２３２】
また、ＨＡＲＱ制御部２５１は、「未送信」のＭＡＣ  ＰＤＵについてもＨＡＲＱ一時記憶部２８４から読み出して、ダミーＭＡＣ  ＰＤＵＶＩ型の作成をダミーＭＡＣ  ＰＤＵ作成部２７５に指示する。ダミーＭＡＣ  ＰＤＵ情報作成部２７６では、未送信であること等を示すダミー情報とともに、同様に再送情報を作成する。【０２３３】
尚、「送達済み」の場合は実施例６と同様である。【０２３４】
各情報作成部２７６等で作成された情報は、実施例６等を同様に、ＭＡＣ  ＰＤＵのヘッダ等に付加されて転送先無線基地局３１に転送される、或いは制御信号として別途転送されてもよい。以降は、実施例６と同様の処理を行い、ハンドオーバ先の転送先無線基地局３１に転送ＲＬＣ  ＳＤＵが転送される。【０２３５】
転送先無線基地局３１は、転送ＲＬＣ  ＳＤＵをＲＬＣ  ＳＤＵ識別部３９２で識別等を行い、ＲＬＣ  ＳＤＵから分割されたＭＡＣ  ＰＤＵがＭＡＣ  ＰＤＵ識別部３９６に出力される。【０２３６】
ＭＡＣ  ＰＤＵ識別部３９６は、ダミーＭＡＣ  ＰＤＵ識別情報抽出部３９７で抽出した情報に基づいて、入力されたＭＡＣ  ＰＤＵが「再送中」か、「未送信」か、「送達済み」か、を識別する。【０２３７】
「再送中」のとき、ＭＡＣ  ＰＤＵ識別部３９６は再送情報をＨＡＲＱ制御部２９０に通知し、ＨＡＲＱ制御部２９０は再送情報に基づいて転送先無線基地局３１から端末４０に送信データの再送を行う。一方、「未送信」のとき、スケジューラ部３２８に従って新規送信が行われる。【０２３８】
本実施例８でも、実施例６と同様に、ハンドオーバ先である転送先無線基地局３１から端末４０に、送達確認されたＲＬＣ  ＰＤＵの伝送が行われないため、スループットの向上を図ることができる。
【実施例９】
【０２３９】
次に実施例９について説明する。本実施例９では、実施例６〜８について、ダミーＭＡＣ  ＰＤＵの先頭や末尾に識別子を付加して、ダミーＭＡＣ  ＰＤＵであることを識別するようにする。転送先無線基地局３１では、この識別子を利用することで、容易にダミーＭＡＣ  ＰＤＵを識別することができる。図５１乃至図５５に識別子が付加されたダミーＭＡＣ  ＰＤＵから構成される転送ＲＬＣ  ＰＤＵの構成例を示す。【０２４０】
この識別子の作成について、実施例７の構成を利用して説明する。転送元無線基地局２１のダミーＭＡＣ  ＰＤＵ作成部２７５（図４４参照）は、ＨＡＲＱ制御部２７２からの指示に基づいて、ＨＡＲＱ一時記憶部２８４に記憶された「未送達」のデータを用いてダミーＭＡＣ  ＰＤＵを作成するとともに、識別子を作成してダミーＭＡＣ  ＰＤＵの先頭や末尾に付加する。【０２４１】
また、ダミーＭＡＣ  ＰＤＵ作成部２７５は、「送達済み」についても識別子をダミーＭＡＣ  ＰＤＵの先頭や末尾に付加して、ダミーＭＡＣ  ＰＤＵを作成する。そして、以降は実施例７と同様に処理が行われる。【０２４２】
尚、識別子は、ダミーＭＡＣ  ＰＤＵの型を識別できるように夫々異なる識別子としてもよい。転送先無線基地局３１では、容易にダミーＭＡＣ  ＰＤＵを識別できるとともに、その型まで識別することが可能となる。
【実施例１０】
【０２４３】
次に実施例１０について説明する。本実施例１０は上り方向の伝送の際に、時間等を演算し、時間がかかりすぎると、転送元から転送先無線基地局３１へのダミーデータの転送を行わずに、端末４０から転送先無線基地局３１にＲＬＣ  ＳＤＵを構成するすべてのＭＡＣ  ＰＤＵを送信する。処理時間を少なくすることができるため、伝送時間を短くでき、スループットの向上を図ることができる。【０２４４】
実施例２の構成（図２９〜図３１）を用いて説明する。【０２４５】
まず、ダミーデータを含む転送ＲＬＣ  ＳＤＵを転送先無線基地局３１に転送する際に、ダミーＭＡＣ  ＰＤＵを作成し、転送ＲＬＣを作成するまでの時間Ｔ１を演算する。例えば、ＨＡＲＱ制御部２５１が、ダミーＭＡＣ  ＰＤＵ作成部２６１にダミーＭＡＣ  ＰＤＵ作成を指示したときの時間を、かかる指示とともにダミーＭＡＣ  ＰＤＵ作成部２６１に通知し、順次、ダミーＲＬＣ
ＰＤＵ作成部２６３、転送ＲＬＣ  ＳＤＵ作成部２６５に通知し、転送ＲＬＣ  ＳＤＵ作成部２６５は、転送ＲＬＣ  ＳＤＵを作成し終えた時間を計り、ＨＡＲＱ制御２５１からの時間と作成し終えた時間の差分からＴ１を演算する。【０２４６】
次に、転送元無線基地局２１から転送先無線基地局３１にダミーＭＡＣ  ＰＤＵを含む転送ＲＬＣ  ＳＤＵが転送され、端末４０から転送先無線基地局３１に伝送された送信パケットの送達確認がとれるまでの時間Ｔ２を演算する。例えば、ＨＡＲＱ制御部３５０で転送パケットの受信時から「ＡＣＫ」作成をＡＣＫ／ＮＡＣＫ作成部３２６へ指示するまでの時間をＴ２とする。【０２４７】
一方、転送ＲＬＣ  ＳＤＵを構成するすべてのＭＡＣ  ＰＤＵについて、端末４０から転送先無線基地局３１に新規送信し、送達確認がとれるまでの時間をＴ３とする。例えば、ＨＡＲＱ制御部３５０において、端末４０からの送信パケットがＨＡＲＱ一時記憶部３５１に記憶されてから、「ＡＣＫ」作成を指示するまでの時間をＴ３とする。【０２４８】
このとき、
Ｔ１＋Ｔ２＞Ｔ３
となったとき、ハンドオーバ元の転送元無線基地局２１からハンドオーバ先の転送先無線基地局３１への転送ＲＬＣ  ＳＤＵの転送を行わず、端末４０から転送先無線基地局３１に転送ＲＬＣ  ＳＤＵを構成するすべてのＭＡＣ  ＰＤＵを送信する。転送元から転送先の無線基地局３１への転送ＲＬＣ  ＳＤＵの転送時間の方が、端末４０から転送先無線基地局３１への伝送時間よりも多く時間がかかるためである。【０２４９】
尚、時間Ｔ３を閾値として演算してもよい。
【実施例１１】
【０２５０】
次に実施例１１について説明する。実施例１０では上り方向について説明したが、本実施例１１では下り方向について説明する。構成等は実施例６を用いる（図２９〜図３１参照）。【０２５１】
まず、ダミーＭＡＣ  ＰＤＵ作成開始から、転送ＲＬＣ  ＳＤＵを作成し終えるまでの時間Ｔ４を演算する。例えば、実施例１０と同様に、ＨＡＲＱ制御部２５１がダミーＭＡＣ  ＰＤＵ作成を指示した時間から、転送ＲＬＣ  ＳＤＵ作成部２６５で転送ＲＬＣ  ＳＤＵを作成するまでの時間を計ればよい。【０２５２】
次に、転送先無線基地局３１において、転送ＲＬＣ  ＳＤＵを受信した後、端末４０に新規送信又は再送を行い、送達確認がとれるまでの時間Ｔ５を測定する。例えば、転送制御部３２０で転送ＲＬＣ  ＳＤＵを受信した時間を計りその情報をＲＬＣ  ＳＤＵとともにＭＡＣ  ＰＤＵ識別部３５６まで出力して、ＨＡＲＱ制御部３５０に通知し、ＨＡＲＱ制御部３５０が「ＡＣＫ」作成の指示をＡＣＫ／ＮＡＣＫ作成部３２６に指示するまでの時間を、ＨＡＲＱ制御部３５０で測定する。【０２５３】
一方、転送ＲＬＣ  ＳＤＵを構成するすべてのＭＡＣ  ＰＤＵを転送先無線基地局３１から端末４０に送信して送達確認がとれるまでの時間Ｔ５を測定する。例えば、転送ＲＬＣ  ＳＤＵの受信時からすべてのＭＡＣ  ＰＤＵについて「ＡＣＫ」作成の指示をＡＣＫ／ＮＡＣＫ作成部３２６に出力するまでの時間を、ＨＡＲＱ制御部３５０で演算する。【０２５４】
このとき、
Ｔ４＋Ｔ５＞Ｔ６
となった場合、ハンドオーバ元の転送元無線基地局２１からハンドオーバ先の転送先無線基地局３１に転送ＲＬＣ  ＳＤＵの転送を行わずに、転送先無線基地局３１では、対応するＲＬＣ  ＳＤＵを構成するすべてのＭＡＣ  ＰＤＵを端末４０に転送する。転送ＲＬＣ  ＳＤＵの転送時間の方が、端末４０でのＭＡＣ  ＰＤＵの伝送時間よりも、時間がかかるからである。【０２５５】
尚、時間Ｔ６を閾値としてもよい。
本実施例１１も、実施例１０と同様に、処理時間を短くすることができるため、スループットの向上を図ることができる。
【産業上の利用可能性】
【０２５６】
本発明は、携帯電話やＰＤＡ（Personal Digital Assistance）などの移動端末が無線基地局との間で無線通信を行う無線通信システムに利用して好適である。
【図１】
2008078381.tif 000003
【図２】
2008078381.tif 000004
【図３】
2008078381.tif 000005
【図４】
2008078381.tif 000006
【図５】
2008078381.tif 000007
【図６】
2008078381.tif 000008
【図７】
2008078381.tif 000009
【図８】
2008078381.tif 000010
【図９】
2008078381.tif 000011
【図１０】
2008078381.tif 000012
【図１１】
2008078381.tif 000013
【図１２】
2008078381.tif 000014
【図１３】
2008078381.tif 000015
【図１４】
2008078381.tif 000016
【図１５】
2008078381.tif 000017
【図１６】
2008078381.tif 000018
【図１７】
2008078381.tif 000019
【図１８】
2008078381.tif 000020
【図１９】
2008078381.tif 000021
【図２０】
2008078381.tif 000022
【図２１】
2008078381.tif 000023
【図２２】
2008078381.tif 000024
【図２３】
2008078381.tif 000025
【図２４】
2008078381.tif 000026
【図２５】
2008078381.tif 000027
【図２６】
2008078381.tif 000028
【図２７】
2008078381.tif 000029
【図２８】
2008078381.tif 000030
【図２９】
2008078381.tif 000031
【図３０】
2008078381.tif 000032
【図３１】
2008078381.tif 000033
【図３２】
2008078381.tif 000034
【図３３】
2008078381.tif 000035
【図３４】
2008078381.tif 000036
【図３５】
2008078381.tif 000037
【図３６】
2008078381.tif 000038
【図３７】
2008078381.tif 000039
【図３８】
2008078381.tif 000040
【図３９】
2008078381.tif 000041
【図４０】
2008078381.tif 000042
【図４１】
2008078381.tif 000043
【図４２】
2008078381.tif 000044
【図４３】
2008078381.tif 000045
【図４４】
2008078381.tif 000046
【図４５】
2008078381.tif 000047
【図４６】
2008078381.tif 000048
【図４７】
2008078381.tif 000049
【図４８】
2008078381.tif 000050
【図４９】
2008078381.tif 000051
【図５０】
2008078381.tif 000052
【図５１】
2008078381.tif 000053
【図５２】
2008078381.tif 000054
【図５３】
2008078381.tif 000055
【図５４】
2008078381.tif 000056
【図５５】
2008078381.tif 000057
【図５６】
2008078381.tif 000058
【手続補正書】
【提出日】平成21年1月7日(2009.1.7)
【手続補正１】
【補正対象書類名】特許請求の範囲
【補正対象項目名】全文
【補正方法】変更
【補正の内容】
【特許請求の範囲】
【請求項１】
第１の無線基地局と端末との間で無線通信が行われている状態からハンドオーバにより前記第１の無線基地局に代わり第２の無線基地局と前記端末との間で無線通信が行われる無線通信システムにおいて、
前記第１の無線基地局には、
前記第１の無線基地局に残留したデータを前記第２の無線基地局に転送する場合に、前記端末から前記第１の無線基地局に送信された送信パケットのうち、送達確認のとれていない未送達のパケットに対してダミーパケットを作成し、前記ダミーパケットを含むデータパケットを作成するデータパケット作成部と、
作成された前記データパケットをハンドオーバ先の前記無線基地局に転送する転送部とを備えることを特徴とする無線通信システム。
【請求項２】
端末と無線通信を行う無線基地局において、
ハンドオーバが実行されたとき、残留したデータをハンドオーバ先の無線基地局に転送する場合に、前記端末からの伝送されたパケットが、前記端末から送達確認のとれていない再送中又は未送信である未送達のパケットか、送達確認のとれた送達済みのパケットかを識別するパケット識別部と、
前記パケット識別部により前記未送達のパケットと識別された前記パケットに対し、ダミーパケットを作成し、前記ダミーパケットを含むデータパケットを作成するデータパケット作成部と、
作成された前記データパケットをハンドオーバ先の無線基地局に転送する転送部とを備えることを特徴とする無線基地局。
【請求項３】
端末と無線通信を行う無線基地局において、
ハンドオーバが実行されたとき、ハンドオーバ元の無線基地局から残留した残留データが転送される場合に、ハンドオーバ元の無線基地局から転送されたデータパケットを受信するデータパケット受信部と、
前記データパケットに付加されたデータパケット識別情報から、前記データパケットにダミーパケットが含まれるか否かを識別するダミーパケット識別部と、
前記ダミーパケットが含まれるとき、前記ダミーパケットに対応するパケットの送信を前記端末に要求する送信要求部と、
前記要求した前記パケットを前記端末から受信する要求パケット受信部と、
前記端末から受信した前記要求パケットの誤りの有無を確認する誤り確認部と、
誤りがないとき、前記要求パケット受信部で受信したパケットを含むパケットを上位装置に伝送する伝送部とを備えることを特徴とする無線基地局。
【請求項４】
第１の無線基地局と端末との間で無線通信が行われているときにハンドオーバにより前記第１の無線基地局に代わり第２の無線基地局と前記端末との間で無線通信が行われる無線通信システムにおいて、
前記第１の無線基地局には、
前記第１の無線基地局に残留した残留データを前記第２の無線基地局に転送する場合に、前記端末から前記第１の無線基地局に送達確認のとれていない未送達のＭＡＣ  ＰＤＵに対してダミーＭＡＣ  ＰＤＵを作成し、前記ＭＡＣ  ＰＤＵを含むＲＬＣ  ＳＤＵを作成するＲＬＣ  ＳＤＵ作成部と、
作成された前記ＲＬＣ  ＳＤＵをハンドオーバ先の前記無線基地局に転送する転送部とを備え、
前記ハンドオーバ先の無線基地局には、
前記ＲＬＣ  ＳＤＵを受信するＲＬＣ  ＳＤＵ受信部と、
受信した前記ＲＬＣ  ＳＤＵから前記未送達のＭＡＣ  ＰＤＵの伝送要求を前記端末に要求し、前記未送達のＭＡＣ  ＰＤＵを前記端末から受信する未送達ＭＡＣ  ＰＤＵ受信部とを備えることを特徴とする無線通信システム。
【請求項５】
端末と無線通信を行う無線基地局において、
ハンドオーバが実行されたとき、残留したデータをハンドオーバ先の無線基地局に転送する場合に、前記端末からの伝送されたＭＡＣ  ＰＤＵが、前記端末から送達確認のとれていない再送中又は未送信である未送達のＭＡＣ  ＰＤＵか、送達確認のとれた送達済みのＭＡＣ  ＰＤＵかを識別するパケット識別部と、
前記パケット識別部により前記未送達のＭＡＣ  ＰＤＵと識別された前記ＭＡＣ  ＰＤＵに対し、ダミーＭＡＣ  ＰＤＵを作成し、前記ダミーＭＡＣ  ＰＤＵを含むＲＬＣ  ＳＤＵを作成するデータパケット作成部と、
作成された前記ＲＬＣ  ＳＤＵをハンドオーバ先の無線基地局に転送する転送部とを備えることを特徴とする無線基地局。
【請求項６】
端末と無線通信を行う無線基地局において、
ハンドオーバが実行されたとき、ハンドオーバ元の無線基地局に残留した残留データが転送される場合に、ハンドオーバ元の無線基地局から転送されたＭＡＣ  ＳＤＵを受信するデータパケット受信部と、
前記ＭＡＣ  ＳＤＵに付加されたデータパケット識別情報から、前記ＭＡＣ  ＳＤＵにダミーＭＡＣ  ＰＤＵが含まれるか否かを識別するダミーパケット識別部と、
前記ダミーＭＡＣ  ＰＤＵが含まれるとき、前記ダミーＭＡＣ  ＰＤＵに対応するＭＡＣ  ＰＤＵの送信を前記端末に要求する送信要求部と、
前記要求した前記ＭＡＣ  ＰＤＵを前記端末から受信する要求パケット受信部と、
前記端末から受信した前記ＭＡＣ  ＰＤＵの誤りの有無を確認する誤り確認部と、
誤りがないとき、前記要求パケット受信部で受信した前記ＭＡＣ  ＰＤＵを含むＲＬＣ
ＳＤＵを上位装置に伝送する伝送部とを備えることを特徴とする無線基地局。
【請求項７】
第１の無線基地局と端末との間で無線通信が行われているときにハンドオーバにより前記第１の無線基地局に代わり第２の無線基地局と前記端末との間で無線通信が行われる無線通信システムにおいて、
前記第１の無線基地局には、
前記第１の無線基地局に残留したデータを前記第２の無線基地局に転送する場合に、前記第１の無線基地局から前記端末に送信された送信パケットのうち、前記端末から送達確認のとれた送達済みパケットに対して送達済みのダミーパケット、又は、前記端末に未送達の送信パケットに対して未送達のダミーパケットを作成し、いずれかのダミーパケットを含むデータパケットを作成するデータパケット作成部と、
作成した前記データパケットを前記第２の無線基地局に転送する転送部とを備えることを特徴とする無線通信システム。
【請求項８】
端末と無線通信を行う無線基地局において、
前記端末によりハンドオーバが実行されたとき、残留した残留データをハンドオーバ先の無線基地局に転送する場合に、前記端末へ送信するパケットが、前記端末から送達確認のとれた送達済みのパケットか、再送中又は未送信である未送達のパケットかを識別するパケット識別部と、
前記パケット識別部により送達済みのパケットと識別された前記パケットに対して送達済みダミーパケットを作成し、前記未送達のパケットと識別された前記パケットに対して未送達のダミーパケットを作成し、いずれかのダミーパケットを含むデータパケットを作成するデータパケット作成部と、
作成された前記データパケットをハンドオーバ先の無線基地局に転送する転送部とを備えることを特徴とする無線基地局。
【請求項９】
端末と無線通信を行う無線基地局において、
ハンドオーバが実行されたとき、ハンドオーバ元の無線基地局に残留した残留データが転送される場合に、ハンドオーバ元の無線基地局から転送されたデータパケットを受信するデータパケット受信部と、
前記データパケットに付加されたデータパケット識別情報から、前記データパケットに送達済みのダミーパケットが含まれるか、未送達のダミーパケットが含まれるかを識別するダミーパケット識別部と、
前記未送達のダミーパケットが含まれるとき、前記未送達のダミーパケットに含まれる実データを前記端末に送信する送信部を備えることを特徴とする無線基地局。
【請求項１０】
第１の無線基地局と端末との間で無線通信が行われているときにハンドオーバにより前記第１の無線基地局に代わり第２の無線基地局と前記端末との間で無線通信が行われる無線通信システムにおいて、
前記第１の無線基地局には、
前記第１の無線基地局に残留したデータを前記第２の無線基地局に転送する場合に、前記第１の無線基地局から前記端末に送信されたＭＡＣ  ＰＤＵのうち、前記端末から送達確認のとれた送達済みＭＡＣ  ＰＤＵに対して送達済みのダミーＭＡＣ  ＰＤＵ、又は、前記端末に未送達の送信ＭＡＣ  ＰＤＵに対して未送達のダミーＭＡＣ  ＰＤＵを作成し、いずれかのダミーＭＡＣ  ＰＤＵを含むＲＬＣ  ＳＤＵを作成するデータパケット作成部と、
作成した前記ＲＬＣ  ＳＤＵを前記第２の無線基地局に転送する転送部とを備え、
前記第２の無線基地局には、
前記ＲＬＣ  ＳＤＵを受信するデータパケット受信部と、
受信した前記ＲＬＣ  ＳＤＵに前記未送達のダミーＭＡＣ  ＰＤＵが含まれているとき、前記未送達のダミーＭＡＣ  ＰＤＵに対応するＭＡＣ  ＰＤＵを前記端末に送信するパケット送信部とを備えることを特徴とする無線通信システム。
【請求項１１】
端末と無線通信を行う無線基地局において、
ハンドオーバが実行されたとき、残留した残留データをハンドオーバ先の無線基地局に転送する場合に、前記端末へ送信するＭＡＣ  ＰＤＵが、前記端末から送達確認のとれた送達済みのＭＡＣ  ＰＤＵか、再送中又は未送信である未送達のＭＡＣ  ＰＤＵかを識別するパケット識別部と、
前記パケット識別部により送達済みのＭＡＣ  ＰＤＵと識別された前記ＭＡＣ  ＰＤＵに対して送達済みダミーＭＡＣ  ＰＤＵを作成し、前記未送達のＭＡＣ  ＰＤＵと識別された前記ＭＡＣ  ＰＤＵに対して未送達のダミーＭＡＣ  ＰＤＵを作成し、いずれかのダミーＭＡＣ  ＰＤＵを含むＲＬＣ  ＳＤＵを作成するデータパケット作成部と、
作成された前記ＲＬＣ  ＳＤＵをハンドオーバ先の無線基地局に転送する転送部とを備えることを特徴とする無線基地局。
【請求項１２】
端末と無線通信を行う無線基地局において、
ハンドオーバが実行されたとき、ハンドオーバ元の無線基地局に残留した残留データが転送される場合に、ハンドオーバ元の無線基地局から転送されたＲＬＣ  ＳＤＵを受信するデータパケット受信部と、
前記ＲＬＣ  ＳＤＵに付加されたデータパケット識別情報から、前記ＲＬＣ  ＳＤＵに送達済みのダミーＭＡＣ  ＰＤＵが含まれるか、未送達のダミーＭＡＣ  ＰＤＵが含まれるかを識別するダミーＭＡＣ  ＰＤＵ識別部と、
前記未送達のダミーＭＡＣ  ＰＤＵが含まれるとき、前記未送達のダミーＭＡＣ  ＰＤＵに含まれる実データを前記端末に送信する送信部を備えることを特徴とする無線基地局。
【請求項１３】
第１の無線基地局と端末との間で無線通信が行われているときにハンドオーバにより前記第１の無線基地局に代わり第２の無線基地局と前記端末との間で無線通信が行われる無線通信システムにおける無線通信方法において、
前記第１の無線基地局において、
前記第１の無線基地局に残留したデータを前記第２の無線基地局に転送する場合に、前記端末から前記第１の無線基地局に送信された送信パケットのうち、送達確認のとれていない未送達のパケットに対してダミーパケットを作成し、前記ダミーパケットを含むデータパケットを作成し、
作成された前記データパケットをハンドオーバ先の前記無線基地局に転送し、
前記第２の無線基地局において、
前記データパケットを受信し、
受信した前記データパケットから前記未送達のパケットの伝送要求を前記端末に要求し、前記未送達のパケットを前記端末から受信することを特徴とする無線通信方法。
【請求項１４】
第１の無線基地局と端末との間で無線通信が行われているときにハンドオーバにより前記第１の無線基地局に代わり第２の無線基地局と前記端末との間で無線通信が行われる無線通信システムにおける無線通信方法において、
前記第１の無線基地局において、
前記第１の無線基地局に残留したデータを前記第２の無線基地局に転送する場合に、前記第１の無線基地局から前記端末に送信された送信パケットのうち、前記端末から送達確認のとれた送達済みパケットに対して送達済みのダミーパケット、又は、前記端末に未送達の送信パケットに対して未送達のダミーパケットを作成し、いずれかのダミーパケットを含むデータパケットを作成し、
作成した前記データパケットを前記第２の無線基地局に転送し、
前記第２の無線基地局において、
前記データパケットを受信し、
受信した前記データパケットに前記未送達のダミーパケットが含まれているとき、前記未送達のダミーパケットに対応するパケットを前記端末に送信することを特徴とする無線通信システム。
【請求項１５】
所定数のデータブロックを含むデータユニットを形成してからルーティングを行う装置にデータ転送を行う第１の無線基地局から、第２の無線基地局に端末との無線接続を切り替えるハンドオーバ方法において、
前記第１の無線基地局が保有する該端末から受信済みのデータブロック又は該端末への未送信のデータブロックが前記データユニットの形成に満たない量のデータブロックである場合に、他のデータを用いて前記データユニットの形成が可能なデータ量を得て、
形成した該データユニットを前記第１の無線基地局から前記第２の無線基地局に送信する、
ことを特徴とするハンドオーバ方法。
【請求項１６】
前記他のデータは、前記端末から未受信であるデータブロックの存在を通知する情報又は前記端末へ送信済みのデータブロックの存在を通知する情報であることを特徴とする請求項１５記載のハンドオーバ方法。
【請求項１７】
前記第２の無線基地局には、
前記データパケットを受信するデータパケット受信部と、
受信した前記データパケットから前記未送達のパケットの伝送要求を前記端末に要求し、前記未送達のパケットを前記端末から受信する未送達パケット受信部とを備えることを特徴とする請求項１記載の無線通信システム。
【請求項１８】
前記第２の無線基地局には、
前記データパケットを受信するデータパケット受信部と、
受信した前記データパケットに前記未送達のダミーパケットが含まれているとき、前記未送達のダミーパケットに対応するパケットを前記端末に送信するパケット送信部とを備えることを特徴とする請求項７記載の無線通信システム。
【国際調査報告】
2008078381.tif 000059
2008078381.tif 000060
2008078381.tif 000061
2008078381.tif 000062